(57)【要約】      （修正有）【課題】安全なマルチペイロードアンテナオペレータオペレーションのための方法を提供する。【解決手段】方法は、アンテナオペレーションセンター（ＡＯＣ）、クライアント又は人工衛星オペレーションセンター（ＳＯＣ）の何れかによって、少なくとも１の顧客の各々に関連付けられた少なくとも１つのアンテナの各々に対するアンテナ位置ポインティングリクエストを使用して、顧客指令を生成することを含む。該方法は、人工衛星オペレーションセンター（ＳＯＣ）によって、顧客指令とＳＯＣ指令を地上アンテナを介して輸送体へ送信することを更に含む。ＳＯＣ指令は、ホストに関連付けられた少なくとも１つのアンテナに関連する。ＡＯＣ又はＳＯＣによって、前記顧客指令は、通信セキュリティ（ＣＯＭＳＥＣ）種を利用して暗号化顧客指令が生成される。【選択図】図２Ａ
2018170761.tif 000002
【特許請求の範囲】
【請求項１】
安全なマルチペイロードアンテナオペレータオペレーションのための方法であって、
少なくとも１の顧客によって、前記少なくとも１の顧客の各々に関連付けられた少なくとも１つのアンテナの各々に対するアンテナ位置ポインティングリクエストを送信すること、
前記少なくとも１つのアンテナの各々に対する前記アンテナ位置ポインティングリクエストを使用して、非暗号化顧客指令を生成すること、
前記非暗号化顧客指令を、１）アンテナオペレーションセンター（ＡＯＣ）、又は２）人工衛星オペレーションセンター（ＳＯＣ）のうちの少なくとも一方へ送信すること、
前記１）ＡＯＣ、又は前記２）ＳＯＣによって、通信セキュリティ（ＣＯＭＳＥＣ）種を利用して、前記非暗号化顧客指令を暗号化して暗号化顧客指令を生成すること、
前記ＳＯＣによって、前記ＣＯＭＳＥＣ種を利用して、非暗号化ＳＯＣ指令を暗号化して暗号化ＳＯＣ指令を生成することであって、前記非暗号化ＳＯＣ指令が、ホストに関連付けられた少なくとも１つのアンテナに関連する、生成すること、
１）前記ＡＯＣ、又は２）前記ＳＯＣのうちの前記少なくとも一方によって、前記暗号化顧客指令と前記暗号化ＳＯＣ指令を地上アンテナへ送信すること、
前記地上アンテナによって、前記暗号化顧客指令と前記暗号化ＳＯＣ指令を輸送体へ送信すること、
前記輸送体上の通信セキュリティモジュールによって、前記ＣＯＭＳＥＣ種を利用して、前記暗号化顧客指令を復号して前記非暗号化顧客指令を生成すること、
前記輸送体上の前記通信セキュリティモジュールによって、前記ＣＯＭＳＥＣ種を利用して、前記暗号化ＳＯＣ指令を復号して前記非暗号化ＳＯＣ指令を生成すること、
少なくとも１つのプロセッサによって、前記非暗号化顧客指令を使用することによって、前記少なくとも１の顧客の各々に関連付けられた各それぞれの前記少なくとも１つのアンテナに対する顧客アンテナジンバリング指令を生成すること、
前記少なくとも１つのプロセッサによって、前記非暗号化ＳＯＣ指令を使用することによって、前記ホストに関連付けられた各それぞれの前記少なくとも１つのアンテナに対するホストアンテナジンバリング指令を生成すること、
前記顧客アンテナジンバリング指令を使用することによって、前記少なくとも１の顧客の各々に関連付けられた前記少なくとも１つのアンテナの各々をそれぞれジンバルすること、
前記ホストアンテナジンバリング指令を使用することによって、前記ホストに関連付けられた前記少なくとも１つのアンテナの各々をそれぞれジンバルすること、
前記少なくとも１つのプロセッサによって、アンテナジンバリングテレメトリを使用することによって、非暗号化テレメトリを生成すること、
前記通信セキュリティモジュールによって、前記ＣＯＭＳＥＣ種を使用して、前記非暗号化テレメトリを暗号化して暗号化テレメトリを生成すること、
前記輸送体によって、前記暗号化テレメトリを前記地上アンテナへ送信すること、
前記地上アンテナによって、前記暗号化テレメトリを、１）前記ＡＯＣ、又は２）前記ＳＯＣのうちの前記少なくとも一方へ送信すること、
１）前記ＡＯＣ、又は２）前記ＳＯＣのうちの前記少なくとも一方によって、前記ＣＯＭＳＥＣ種を利用して、前記暗号化テレメトリ復号して前記非暗号化テレメトリを生成すること、
１）前記ＡＯＣ、又は２）前記ＳＯＣのうちの前記少なくとも一方によって、前記非暗号化テレメトリを使用することによって、前記少なくとも１の顧客の各々に関連付けられた前記少なくとも１つのアンテナの各々に対するアンテナポインティング位置を生成すること、
１）前記ＡＯＣ、又は２）前記ＳＯＣのうちの前記少なくとも一方によって、前記少なくとも１の顧客の各々に関連付けられた前記少なくとも１つのアンテナの各々に対する前記アンテナポインティング位置を、それぞれ、前記少なくとも１の顧客の各々へ送信することを含む、方法。
【請求項２】
前記少なくとも１の顧客の各々に関連付けられた前記少なくとも１つのアンテナが、少なくとも１つのアンテナ反射器を備える、請求項１に記載の方法。
【請求項３】
前記ホストに関連付けられた前記少なくとも１つのアンテナが、少なくとも１つのアンテナ反射器を備える、請求項１又は２に記載の方法。
【請求項４】
前記輸送体が、人工衛星、航空機、無人航空機（ＵＡＶ）、又は宇宙飛行機のうちの１つである、請求項１から３のいずれか一項に記載の方法。
【請求項５】
前記ＣＯＭＳＥＣ種が、少なくとも１つの暗号キー又は少なくとも１つのアルゴリズムのうちの少なくとも一方を備える、請求項１から４のいずれか一項に記載の方法。
【請求項６】
前記非暗号化顧客指令を前記生成することが、１）アンテナオペレーションセンター（ＡＯＣ）、２）クライアント、又は３）人工衛星オペレーションセンター（ＳＯＣ）のうちの少なくとも１つによって、非暗号化顧客指令を生成することを更に含む、請求項１から５のいずれか一項に記載の方法。
【請求項７】
前記非暗号化顧客指令を前記送信することが、１）前記ＡＯＣ、又は２）前記クライアントのうちの少なくとも一方によって、前記非暗号化顧客指令を前記ＳＯＣへ送信することを更に含む、請求項６に記載の方法。
【請求項８】
前記ＳＯＣによって、前記暗号化顧客指令と前記暗号化ＳＯＣ指令を地上アンテナへ送信することを更に含む、請求項７に記載の方法。
【請求項９】
少なくとも１の顧客によって、アンテナ位置ポインティングリクエストを前記送信することが、前記アンテナ位置ポインティングリクエストをアンテナオペレーションセンター（ＡＯＣ）へ送信することを更に含む、請求項１から８のいずれか一項に記載の方法。
【請求項１０】
少なくとも１の顧客によって、アンテナ位置ポインティングリクエストを前記送信することが、前記アンテナ位置ポインティングリクエストをクライアントへ送信することを更に含む、請求項１から８のいずれか一項に記載の方法。
【請求項１１】
少なくとも１の顧客によって、アンテナ位置ポインティングリクエストを前記送信することが、前記アンテナ位置ポインティングリクエストを人工衛星オペレーションセンター（ＳＯＣ）へ送信することを更に含む、請求項１から８のいずれか一項に記載の方法。
【請求項１２】
安全なマルチペイロードアンテナオペレータオペレーションのためのシステムであって、
少なくとも１の顧客の各々に関連付けられた少なくとも１つのアンテナの各々に対するアンテナ位置ポインティングリクエストを使用して非暗号化顧客指令を生成し、前記非暗号化顧客指令を人工衛星オペレーションセンター（ＳＯＣ）又は地上アンテナのうちの少なくとも一方へ送信する、アンテナオペレーションセンター（ＡＯＣ）又はクライアントのうちの少なくとも一方と、
通信セキュリティ（ＣＯＭＳＥＣ）種を利用して、前記非暗号化顧客指令を暗号化して暗号化顧客指令を生成し、前記ＣＯＭＳＥＣ種を利用して、非暗号化ＳＯＣ指令を暗号化して暗号化ＳＯＣ指令を生成するように設定された前記ＳＯＣであって、前記非暗号化ＳＯＣ指令が、ホストに関連付けられた少なくとも１つのアンテナに関連し、更に、前記ＳＯＣが、前記暗号化顧客指令と前記暗号化ＳＯＣ指令を地上アンテナへ送信するように設定された、前記ＳＯＣと、
前記暗号化顧客指令と前記暗号化ＳＯＣ指令を輸送体へ送信する、地上アンテナと、
前記ＣＯＭＳＥＣ種を利用して、前記暗号化ＡＯＣ 指令を復号して前記非暗号化ＡＯＣ 指令を生成し、前記ＣＯＭＳＥＣ種を利用して、前記暗号化ＳＯＣ指令を復号して前記非暗号化ＳＯＣ指令を生成する、前記輸送体上の通信セキュリティモジュールと、
前記非暗号化顧客指令を使用することによって、前記少なくとも１の顧客の各々に関連付けられた各それぞれの前記少なくとも１つのアンテナに対する顧客アンテナジンバリング指令を生成し、前記非暗号化ＳＯＣ指令を使用することによって、前記ホストに関連付けられた各それぞれの前記少なくとも１つのアンテナに対するホストアンテナジンバリング指令を生成する、少なくとも１つのプロセッサとを備え、
請求項１から１１のいずれか一項に記載の方法を実行するように設定されている、システム。
【請求項１３】
前記少なくとも１の顧客の各々に関連付けられた前記少なくとも１つのアンテナが、少なくとも１つのアンテナ反射器を備える、請求項１２に記載のシステム。
【請求項１４】
前記ホストに関連付けられた前記少なくとも１つのアンテナが、少なくとも１つのアンテナ反射器を備える、請求項１２又は１３に記載のシステム。
【請求項１５】
前記輸送体が、人工衛星、航空機、無人航空機（ＵＡＶ）、又は宇宙飛行機のうちの１つである、請求項１２から１４のいずれか一項に記載のシステム。
【発明の詳細な説明】
【技術分野】
【０００１】
本開示は、アンテナオペレータオペレーションに関する。特に、本開示は、安全なマルチペイロードアンテナオペレータオペレーションに関する。
【背景技術】
【０００２】
現在、輸送体（例えば、人工衛星）上の典型的なアンテナ（例えば、反射鏡アンテナ）は、それらのポインティング位置を変更するために（例えば、それらのアンテナビームボアサイトを変更するために）操縦（すなわち、ジンバル）される能力を有する。このアンテナ操縦の全ては、輸送体上でアンテナを利用する顧客のためのリソースの割り当てのプライバシーなしに、単一の人工衛星コントローラ（例えば、ホスト）によって指示命令及び制御されている。
【０００３】
したがって、アンテナリソースの割り当てにおけるプライバシーを可能にする、改善されたアンテナオペレータオペレーションが必要である。
【発明の概要】
【０００４】
本開示は、安全なマルチペイロードアンテナオペレータオペレーションのための方法、システム、及び装置に関する。１以上の実施形態では、安全なマルチペイロードアンテナオペレータオペレーションのための方法が、少なくとも１の顧客によって、少なくとも１の顧客の各々に関連付けられた少なくとも１つのアンテナの各々に対するアンテナ位置ポインティングリクエストを送信することを含む。アンテナ位置リクエストは、アンテナオペレーションセンター（ＡＯＣ）、クライアント、又は人工衛星オペレーションセンター（ＳＯＣ）のうちの何れかに送信される。該方法は、ＡＯＣ、クライアント、又はＳＯＣのうちの何れかによって、少なくとも１つのアンテナの各々に対するアンテナ位置ポインティングリクエストを使用して、非暗号化顧客指令を生成することを更に含む。更に、該方法は、ＡＯＣ又はクライアントのうちの何れかによって、非暗号化顧客指令を人工衛星オペレーションセンター（ＳＯＣ）へ送信することを含む。更に、該方法は、ＳＯＣによって、通信セキュリティ（ＣＯＭＳＥＣ）種を利用して、非暗号化顧客指令を暗号化し、暗号化顧客指令を生成することを含む。更に、該方法は、ＳＯＣによって、ＣＯＭＳＥＣ種を利用して、非暗号化ＳＯＣ指令を暗号化し、暗号化ＳＯＣ指令を生成することを含む。１以上の実施形態では、非暗号化ＳＯＣ指令が、ホストに関連付けられた少なくとも１つのアンテナに関連する。更に、該方法は、ＳＯＣによって、暗号化顧客指令と暗号化ＳＯＣ指令を地上アンテナへ送信することを含む。更に、該方法は、地上アンテナによって、暗号化顧客指令と暗号化ＳＯＣ指令を輸送体へ送信することを含む。更に、該方法は、輸送体上の通信セキュリティモジュールによって、ＣＯＭＳＥＣ種を利用して、暗号化顧客指令を復号し、非暗号化顧客指令を生成することを含む。更に、該方法は、輸送体上の通信セキュリティモジュールによって、ＣＯＭＳＥＣ種を利用して、暗号化ＳＯＣ指令を復号し、非暗号化ＳＯＣ指令を生成することを含む。更に、該方法は、少なくとも１つのプロセッサによって、非暗号化顧客指令を使用することによって、少なくとも１の顧客の各々に関連付けられた各それぞれの少なくとも１つのアンテナに対する顧客アンテナジンバリング指令を生成することを含む。更に、該方法は、少なくとも１つのプロセッサによって、非暗号化ＳＯＣ指令を使用することによって、ホストに関連付けられた各それぞれの少なくとも１つのアンテナに対するホストアンテナジンバリング指令を生成することを含む。更に、該方法は、顧客アンテナジンバリング指令を使用することによって、少なくとも１の顧客の各々に関連付けられた少なくとも１つのアンテナの各々をそれぞれジンバルすることを含む。更に、該方法は、ホストアンテナジンバリング指令を使用することによって、ホストに関連付けられた少なくとも１つのアンテナの各々をそれぞれジンバルすることを含む。更に、該方法は、少なくとも１つのプロセッサによって、アンテナジンバリングテレメトリを使用することによって、非暗号化テレメトリを生成することを含む。更に、該方法は、通信セキュリティモジュールによって、ＣＯＭＳＥＣ種を使用して、非暗号化テレメトリを暗号化し、暗号化テレメトリを生成することを含む。更に、該方法は、輸送体によって、暗号化テレメトリを地上アンテナへ送信することを含む。更に、該方法は、地上アンテナによって、暗号化テレメトリをＳＯＣへ送信することを含む。更に、該方法は、ＳＯＣによって、ＣＯＭＳＥＣ種を利用して、暗号化テレメトリを復号し、非暗号化テレメトリを生成することを含む。更に、該方法は、ＳＯＣによって、非暗号化テレメトリをＡＯＣへ送信することを含む。更に、該方法は、ＡＯＣによって、非暗号化テレメトリを使用することによって、少なくとも１の顧客の各々に関連付けられた少なくとも１つのアンテナの各々に対するアンテナポインティング位置を生成することを含む。更に、該方法は、ＡＯＣによって、少なくとも１の顧客の各々に関連付けられた少なくとも１つのアンテナの各々に対するアンテナポインティング位置を、それぞれ、少なくとも１の顧客の各々へ送信することを含む。
【０００５】
１以上の実施形態では、少なくとも１の顧客の各々に関連付けられた少なくとも１つのアンテナが、少なくとも１つのアンテナ反射器を備える。ある実施形態では、ホストに関連付けられた少なくとも１つのアンテナが、少なくとも１つのアンテナ反射器を備える。
【０００６】
少なくとも１つの実施形態では、輸送体が、人工衛星、航空機、無人航空機（ＵＡＶ）、又は宇宙飛行機である。
【０００７】
１以上の実施形態では、ＣＯＭＳＥＣ種が、少なくとも１つの暗号キー及び／又は少なくとも１つのアルゴリズムを備える。
【０００８】
少なくとも１つの実施形態では、安全なマルチペイロードアンテナオペレータオペレーションのための方法が、少なくとも１の顧客によって、少なくとも１の顧客の各々に関連付けられた少なくとも１つのアンテナの各々に対するアンテナ位置ポインティングリクエストをクライアントへ送信することを含む。更に、該方法は、クライアントによって、少なくとも１つのアンテナの各々に対するアンテナ位置ポインティングリクエストを使用して、非暗号化顧客指令を生成することを含む。更に、該方法は、クライアントによって、非暗号化顧客指令を人工衛星オペレーションセンター（ＳＯＣ）のプライマリサーバへ送信することを含む。更に、該方法は、ＳＯＣのプライマリサーバによって、通信セキュリティ（ＣＯＭＳＥＣ）種を利用して、非暗号化顧客指令を暗号化し、暗号化顧客指令を生成することを含む。更に、該方法は、ＳＯＣのプライマリサーバによって、ＣＯＭＳＥＣ種を利用して、非暗号化ＳＯＣ指令を暗号化し、暗号化ＳＯＣ指令を生成することを含む。１以上の実施形態では、非暗号化ＳＯＣ指令が、ホストに関連付けられた少なくとも１つのアンテナに関連する。更に、該方法は、ＳＯＣのプライマリサーバによって、暗号化顧客指令と暗号化ＳＯＣ指令を地上アンテナへ送信することを含む。更に、該方法は、地上アンテナによって、暗号化顧客指令と暗号化ＳＯＣ指令を輸送体へ送信することを含む。更に、該方法は、輸送体上の通信セキュリティモジュールによって、ＣＯＭＳＥＣ種を利用して、暗号化顧客指令を復号し、非暗号化顧客指令を生成することを含む。更に、該方法は、輸送体上の通信セキュリティモジュールによって、ＣＯＭＳＥＣ種を利用して、暗号化ＳＯＣ指令を復号し、非暗号化ＳＯＣ指令を生成することを含む。更に、該方法は、少なくとも１つのプロセッサによって、非暗号化顧客指令を使用することによって、少なくとも１の顧客の各々に関連付けられた各それぞれの少なくとも１つのアンテナに対する顧客アンテナジンバリング指令を生成することを含む。更に、該方法は、少なくとも１つのプロセッサによって、非暗号化ＳＯＣ指令を使用することによって、ホストに関連付けられた各それぞれの少なくとも１つのアンテナに対するホストアンテナジンバリング指令を生成することを含む。更に、該方法は、顧客アンテナジンバリング指令を使用することによって、少なくとも１の顧客の各々に関連付けられた少なくとも１つのアンテナの各々をそれぞれジンバルすることを含む。更に、該方法は、ホストアンテナジンバリング指令を使用することによって、ホストに関連付けられた少なくとも１つのアンテナの各々をそれぞれジンバルすることを含む。更に、該方法は、少なくとも１つのプロセッサによって、アンテナジンバリングテレメトリを使用することによって、非暗号化テレメトリを生成することを含む。更に、該方法は、通信セキュリティモジュールによって、ＣＯＭＳＥＣ種を使用して、非暗号化テレメトリを暗号化し、暗号化テレメトリを生成することを含む。更に、該方法は、輸送体によって、暗号化テレメトリを地上アンテナへ送信することを含む。更に、該方法は、地上アンテナによって、暗号化テレメトリをＳＯＣのプライマリサーバへ送信することを含む。更に、該方法は、ＳＯＣのプライマリサーバによって、ＣＯＭＳＥＣ種を利用して、暗号化テレメトリを復号し、非暗号化テレメトリを生成することを含む。更に、該方法は、ＳＯＣのプライマリサーバによって、非暗号化テレメトリをクライアントへ送信することを含む。更に、該方法は、クライアントによって、非暗号化テレメトリを使用することによって、少なくとも１の顧客の各々に関連付けられた少なくとも１つのアンテナの各々に対するアンテナポインティング位置を生成することを含む。更に、該方法は、クライアントによって、少なくとも１の顧客の各々に関連付けられた少なくとも１つのアンテナの各々に対するアンテナポインティング位置を、それぞれ、少なくとも１の顧客の各々へ送信することを含む。
【０００９】
１以上の実施形態では、安全なマルチペイロードアンテナオペレータオペレーションのための方法が、少なくとも１の顧客によって、少なくとも１の顧客の各々に関連付けられた少なくとも１つのアンテナの各々に対するアンテナ位置ポインティングリクエストをアンテナオペレーションセンター（ＡＯＣ）へ送信することを含む。更に、該方法は、ＡＯＣによって、少なくとも１つのアンテナの各々に対するアンテナ位置ポインティングリクエストを使用して、非暗号化ＡＯＣ指令を生成することを含む。更に、該方法は、ＡＯＣによって、第２の通信セキュリティ（ＣＯＭＳＥＣ）種を利用して、非暗号化ＡＯＣ指令を暗号化し、暗号化ＡＯＣ指令を生成することを含む。更に、該方法は、人工衛星オペレーションセンター（ＳＯＣ）によって、第１のＣＯＭＳＥＣ種を利用して、非暗号化ＳＯＣ指令を暗号化し、暗号化ＳＯＣ指令を生成することを含む。１以上の実施形態では、非暗号化ＳＯＣ指令が、ホストに関連付けられた少なくとも１つのアンテナに関連する。更に、該方法は、ＳＯＣによって、暗号化ＳＯＣ指令をＡＯＣへ送信することを含む。更に、該方法は、ＡＯＣによって、暗号化ＡＯＣ指令と暗号化ＳＯＣ指令を地上アンテナへ送信することを含む。更に、該方法は、地上アンテナによって、暗号化ＡＯＣ指令と暗号化ＳＯＣ指令を輸送体へ送信することを含む。更に、該方法は、輸送体上の第１の通信セキュリティモジュールによって、第１のＣＯＭＳＥＣ種を利用して、暗号化ＳＯＣ指令を復号し、非暗号化ＳＯＣ指令を生成することを含む。更に、該方法は、輸送体上の第２の通信セキュリティモジュールによって、第２のＣＯＭＳＥＣ種を利用して、暗号化ＡＯＣ指令を復号し、非暗号化ＡＯＣ指令を生成することを含む。更に、該方法は、少なくとも１つのプロセッサによって、非暗号化ＡＯＣ指令を使用することによって、少なくとも１の顧客の各々に関連付けられた各それぞれの少なくとも１つのアンテナに対する顧客アンテナジンバリング指令を生成することを含む。更に、該方法は、少なくとも１つのプロセッサによって、非暗号化ＳＯＣ指令を使用することによって、ホストに関連付けられた各それぞれの少なくとも１つのアンテナに対するホストアンテナジンバリング指令を生成することを含む。更に、該方法は、顧客アンテナジンバリング指令を使用することによって、少なくとも１の顧客の各々に関連付けられた少なくとも１つのアンテナの各々をそれぞれジンバルすることを含む。更に、該方法は、ホストアンテナジンバリング指令を使用することによって、ホストに関連付けられた少なくとも１つのアンテナの各々をそれぞれジンバルすることを含む。更に、該方法は、少なくとも１つのプロセッサによって、アンテナジンバリングテレメトリを使用することによって、非暗号化テレメトリを生成することを含む。更に、該方法は、第２の通信セキュリティモジュールによって、第２のＣＯＭＳＥＣ種を使用して、非暗号化テレメトリを暗号化し、暗号化テレメトリを生成することを含む。更に、該方法は、輸送体によって、暗号化テレメトリを地上アンテナへ送信することを含む。更に、該方法は、地上アンテナによって、暗号化テレメトリをＡＯＣへ送信することを含む。更に、該方法は、ＡＯＣによって、第２のＣＯＭＳＥＣ種を使用して、暗号化テレメトリを復号し、非暗号化テレメトリを生成することを含む。更に、該方法は、ＡＯＣによって、非暗号化テレメトリを使用することによって、少なくとも１の顧客の各々に関連付けられた少なくとも１つのアンテナの各々に対するアンテナポインティング位置を生成することを含む。更に、該方法は、ＡＯＣによって、少なくとも１の顧客の各々に関連付けられた少なくとも１つのアンテナの各々に対するアンテナポインティング位置を、それぞれ、少なくとも１の顧客の各々へ送信することを含む。更に、該方法は、ＡＯＣよって、非暗号化テレメトリを使用することによって、ＳＯＣテレメトリを生成することを含む。更に、該方法は、ＡＯＣによって、ＳＯＣテレメトリをＳＯＣへ送信することを含む。
【００１０】
少なくとも１つの実施形態では、第１のＣＯＭＳＥＣ種が、少なくとも１つの暗号キー及び／又は少なくとも１つのアルゴリズムを備える。ある実施形態では、第２のＣＯＭＳＥＣ種が、少なくとも１つの暗号キー及び／又は少なくとも１つのアルゴリズムを備える。
【００１１】
１以上の実施形態では、安全なマルチペイロードアンテナオペレータオペレーションのための方法が、少なくとも１の顧客によって、少なくとも１の顧客の各々に関連付けられた少なくとも１つのアンテナの各々に対するアンテナ位置ポインティングリクエストを人工衛星オペレーションセンター（ＳＯＣ）へ送信することを含む。更に、該方法は、ＳＯＣによって、少なくとも１つのアンテナの各々に対するアンテナ位置ポインティングリクエストを使用して、非暗号化顧客指令を生成することを含む。更に、該方法は、ＳＯＣによって、通信セキュリティ（ＣＯＭＳＥＣ）種を利用して、非暗号化顧客指令を暗号化し、暗号化顧客指令を生成することを含む。更に、該方法は、ＳＯＣによって、ＣＯＭＳＥＣ種を利用して、非暗号化ＳＯＣ指令を暗号化し、暗号化ＳＯＣ指令を生成することを含む。１以上の実施形態では、非暗号化ＳＯＣ指令が、ホストに関連付けられた少なくとも１つのアンテナに関連する。更に、該方法は、ＳＯＣによって、暗号化顧客指令と暗号化ＳＯＣ指令を地上アンテナへ送信することを含む。更に、該方法は、地上アンテナによって、暗号化顧客指令と暗号化ＳＯＣ指令を輸送体へ送信することを含む。更に、該方法は、輸送体上の通信セキュリティモジュールによって、ＣＯＭＳＥＣ種を利用して、暗号化顧客指令を復号し、非暗号化顧客指令を生成することを含む。更に、該方法は、輸送体上の通信セキュリティモジュールによって、ＣＯＭＳＥＣ種を利用して、暗号化ＳＯＣ指令を復号し、非暗号化ＳＯＣ指令を生成することを含む。更に、該方法は、少なくとも１つのプロセッサによって、非暗号化顧客指令を使用することによって、少なくとも１の顧客の各々に関連付けられた各それぞれの少なくとも１つのアンテナに対する顧客アンテナジンバリング指令を生成することを含む。更に、該方法は、少なくとも１つのプロセッサによって、非暗号化ＳＯＣ指令を使用することによって、ホストに関連付けられた各それぞれの少なくとも１つのアンテナに対するホストアンテナジンバリング指令を生成することを含む。更に、該方法は、顧客アンテナジンバリング指令を使用することによって、少なくとも１の顧客の各々に関連付けられた少なくとも１つのアンテナの各々をそれぞれジンバルすることを含む。更に、該方法は、ホストアンテナジンバリング指令を使用することによって、ホストに関連付けられた少なくとも１つのアンテナの各々をそれぞれジンバルすることを含む。更に、該方法は、少なくとも１つのプロセッサによって、アンテナジンバリングテレメトリを使用することによって、非暗号化テレメトリを生成することを含む。更に、該方法は、通信セキュリティモジュールによって、ＣＯＭＳＥＣ種を使用して、非暗号化テレメトリを暗号化し、暗号化テレメトリを生成することを含む。更に、該方法は、輸送体によって、暗号化テレメトリを地上アンテナへ送信することを含む。更に、該方法は、地上アンテナによって、暗号化テレメトリをＳＯＣへ送信することを含む。更に、該方法は、ＳＯＣによって、ＣＯＭＳＥＣ種を使用することによって、暗号化テレメトリを復号し、非暗号化テレメトリを生成することを含む。更に、該方法は、ＳＯＣによって、非暗号化テレメトリを使用することによって、少なくとも１の顧客の各々に関連付けられた少なくとも１つのアンテナの各々に対するアンテナポインティング位置を生成することを含む。更に、該方法は、ＳＯＣによって、少なくとも１の顧客の各々に関連付けられた少なくとも１つのアンテナの各々に対するアンテナポインティング位置を、それぞれ、少なくとも１の顧客の各々へ送信することを含む。
【００１２】
１以上の実施形態では、安全なマルチペイロードアンテナオペレータオペレーションのためのシステムが、少なくとも１の顧客の各々に関連付けられた少なくとも１つのアンテナの各々に対するアンテナ位置ポインティングリクエストを使用して、非暗号化ＡＯＣ指令を生成し、非暗号化ＡＯＣ指令を人工衛星オペレーションセンター（ＳＯＣ）へ送信する、アンテナオペレーションセンター（ＡＯＣ）を備える。更に、該システムは、通信セキュリティ（ＣＯＭＳＥＣ）種を利用して、非暗号化ＡＯＣ指令を暗号化して暗号化ＡＯＣ指令を生成し、ＣＯＭＳＥＣ種を利用して、非暗号化ＳＯＣ指令を暗号化して暗号化ＳＯＣ指令を生成し（非暗号化ＳＯＣ指令は、ホストに関連付けられた少なくとも１つのアンテナに関連する）、暗号化ＡＯＣ指令と暗号化ＳＯＣ指令を地上アンテナへ送信する、ＳＯＣを備える。更に、該システムは、暗号化ＡＯＣ指令と暗号化ＳＯＣ指令を輸送体へ送信する地上アンテナを備える。更に、該システムは、ＣＯＭＳＥＣ種を利用して、暗号化ＡＯＣ指令を復号して非暗号化ＡＯＣ指令を生成し、ＣＯＭＳＥＣ種を利用して、暗号化ＳＯＣ指令を復号して非暗号化ＳＯＣ指令を生成する、輸送体上の通信セキュリティモジュールを備える。更に、該システムは、非暗号化ＡＯＣ指令を使用することによって、少なくとも１の顧客の各々に関連付けられた各それぞれの少なくとも１つのアンテナに対する顧客アンテナジンバリング指令を生成し、非暗号化ＳＯＣ指令を使用することによって、ホストに関連付けられた各それぞれの少なくとも１つのアンテナに対するホストアンテナジンバリング指令を生成する、少なくとも１つのプロセッサを備える。更に、該システムは、顧客アンテナジンバリング指令を使用することによってジンバルされる少なくとも１の顧客の各々に関連付けられた少なくとも１つのアンテナの各々を備える。更に、該システムは、ホストアンテナジンバリング指令を使用することによってジンバルされるホストに関連付けられた少なくとも１つのアンテナの各々を備える。更に、該システムは、アンテナジンバリングテレメトリを使用することによって非暗号化テレメトリを生成する少なくとも１つのプロセッサを備える。更に、該システムは、ＣＯＭＳＥＣ種を使用して、非暗号化テレメトリを暗号化し暗号化テレメトリを生成する、通信セキュリティモジュールを備える。更に、該システムは、暗号化テレメトリを地上アンテナへ送信する輸送体を備える。更に、該システムは、暗号化テレメトリをＳＯＣへ送信する地上アンテナを備える。更に、該システムは、ＣＯＭＳＥＣ種を利用して、暗号化テレメトリを復号して非暗号化テレメトリを生成し、非暗号化テレメトリをＡＯＣへ送信する、ＳＯＣを備える。更に、該システムは、非暗号化テレメトリを使用することによって、少なくとも１の顧客の各々に関連付けられた少なくとも１つのアンテナの各々に対するアンテナポインティング位置を生成し、少なくとも１の顧客の各々に関連付けられた少なくとも１つのアンテナの各々に対するアンテナポインティング位置を、それぞれ、少なくとも１の顧客の各々へ送信する、ＡＯＣを備える。
【００１３】
少なくとも１つの実施形態では、安全なマルチペイロードアンテナオペレータオペレーションのためのシステムが、少なくとも１の顧客の各々に関連付けられた少なくとも１つのアンテナの各々に対するアンテナ位置ポインティングリクエストを使用して、非暗号化顧客指令を生成し、非暗号化顧客指令を人工衛星オペレーションセンター（ＳＯＣ）のプライマリサーバへ送信する、クライアントを備える。更に、該システムは、通信セキュリティ（ＣＯＭＳＥＣ）種を利用して、非暗号化顧客指令を暗号化して暗号化顧客指令を生成し、ＣＯＭＳＥＣ種を利用して、非暗号化ＳＯＣ指令を暗号化して暗号化ＳＯＣ指令を生成し（非暗号化ＳＯＣ指令は、ホストに関連付けられた少なくとも１つのアンテナに関連する）、暗号化顧客指令と暗号化ＳＯＣ指令を地上アンテナへ送信する、ＳＯＣのプライマリサーバを備える。更に、該システムは、暗号化顧客指令と暗号化ＳＯＣ指令を輸送体へ送信する地上アンテナを備える。更に、該システムは、ＣＯＭＳＥＣ種を利用して、暗号化顧客指令を復号して非暗号化顧客指令を生成し、ＣＯＭＳＥＣ種を利用して、暗号化ＳＯＣ指令を復号して非暗号化ＳＯＣ指令を生成する、輸送体上の通信セキュリティモジュールを備える。更に、該システムは、非暗号化顧客指令を使用することによって、少なくとも１の顧客の各々に関連付けられた各それぞれの少なくとも１つのアンテナに対する顧客アンテナジンバリング指令を生成し、非暗号化ＳＯＣ指令を使用することによって、ホストに関連付けられた各それぞれの少なくとも１つのアンテナに対するホストアンテナジンバリング指令を生成する、少なくとも１つのプロセッサを備える。更に、該システムは、顧客アンテナジンバリング指令を使用することによってジンバルされる少なくとも１の顧客の各々に関連付けられた少なくとも１つのアンテナの各々を備える。更に、該システムは、ホストアンテナジンバリング指令を使用することによってジンバルされるホストに関連付けられた少なくとも１つのアンテナの各々を備える。更に、該システムは、アンテナジンバリングテレメトリを使用することによって非暗号化テレメトリを生成する、少なくとも１つのプロセッサを備える。更に、該システムは、ＣＯＭＳＥＣ種を使用して、非暗号化テレメトリを暗号化して暗号化テレメトリを生成する、通信セキュリティモジュールを備える。更に、該システムは、暗号化テレメトリを地上アンテナへ送信する輸送体を備える。更に、該システムは、暗号化テレメトリをＳＯＣのプライマリサーバへ送信する地上アンテナを備える。更に、該システムは、ＣＯＭＳＥＣ種を利用して、暗号化テレメトリを復号して非暗号化テレメトリを生成し、非暗号化テレメトリをクライアントへ送信する、ＳＯＣのプライマリサーバを備える。更に、該システムは、非暗号化テレメトリを使用することによって、少なくとも１の顧客の各々に関連付けられた少なくとも１つのアンテナの各々に対するアンテナポインティング位置を生成し、少なくとも１の顧客の各々に関連付けられた少なくとも１つのアンテナの各々に対するアンテナポインティング位置を、それぞれ、少なくとも１の顧客へ送信する、クライアントを備える。
【００１４】
１以上の実施形態では、安全なマルチペイロードアンテナオペレータオペレーションのためのシステムが、少なくとも１の顧客の各々に関連付けられた少なくとも１つのアンテナの各々に対するアンテナ位置ポインティングリクエストを使用して、非暗号化ＡＯＣ指令を生成し、第２の通信セキュリティ（ＣＯＭＳＥＣ）種を利用して、非暗号化ＡＯＣ指令を暗号化して暗号化ＡＯＣ指令を生成する、アンテナオペレーションセンター（ＡＯＣ）を備える。更に、該システムは、第１のＣＯＭＳＥＣ種を利用して、非暗号化ＳＯＣ指令を暗号化して暗号化ＳＯＣ指令を生成し（非暗号化ＳＯＣ指令は、ホストに関連付けられた少なくとも１つのアンテナに関連する）、暗号化ＳＯＣ指令をＡＯＣへ送信する、人工衛星オペレーションセンター（ＳＯＣ）を備える。更に、該システムは、暗号化ＡＯＣ指令と暗号化ＳＯＣ指令を地上アンテナへ送信するＡＯＣを備える。更に、該システムは、暗号化ＡＯＣ指令と暗号化ＳＯＣ指令を輸送体へ送信する地上アンテナを備える。更に、該システムは、第１のＣＯＭＳＥＣ種を利用して、暗号化ＳＯＣ指令を復号して非暗号化ＳＯＣ指令を生成する、輸送体上の第１の通信セキュリティモジュールを備える。更に、該システムは、第２のＣＯＭＳＥＣ種を利用して、暗号化ＡＯＣ指令を復号して非暗号化ＡＯＣ指令を生成する、輸送体上の第２の通信セキュリティモジュールを備える。更に、該システムは、非暗号化ＡＯＣ指令を使用することによって、少なくとも１の顧客の各々に関連付けられた各それぞれの少なくとも１つのアンテナに対する顧客アンテナジンバリング指令を生成し、非暗号化ＳＯＣ指令を使用することによって、ホストに関連付けられた各それぞれの少なくとも１つのアンテナに対するホストアンテナジンバリング指令を生成する、少なくとも１つのプロセッサを備える。更に、該システムは、顧客アンテナジンバリング指令を使用することによってジンバルされる少なくとも１の顧客の各々に関連付けられた少なくとも１つのアンテナの各々を備える。更に、該システムは、ホストアンテナジンバリング指令を使用することによってジンバルされるホストに関連付けられた少なくとも１つのアンテナの各々を備える。更に、該システムは、アンテナジンバリングテレメトリを使用することによって非暗号化テレメトリを生成する、少なくとも１つのプロセッサを備える。更に、該システムは、第２のＣＯＭＳＥＣ種を使用して、非暗号化テレメトリを暗号化して暗号化テレメトリを生成する、第２の通信セキュリティモジュールを備える。更に、該システムは、暗号化テレメトリを地上アンテナへ送信する輸送体を備える。更に、該システムは、暗号化テレメトリをＡＯＣへ送信する地上アンテナを備える。更に、該システムは、第２のＣＯＭＳＥＣ種を使用して、暗号化テレメトリを復号して非暗号化テレメトリを生成し、非暗号化テレメトリを使用することによって、少なくとも１の顧客の各々に関連付けられた少なくとも１つのアンテナの各々に対するアンテナポインティング位置を生成し、少なくとも１の顧客の各々に関連付けられた少なくとも１つのアンテナの各々に対するアンテナポインティング位置を、それぞれ、少なくとも１の顧客の各々へ送信し、非暗号化テレメトリを使用することによって、ＳＯＣテレメトリを生成し、ＳＯＣテレメトリをＳＯＣへ送信する、ＡＯＣを備える。
【００１５】
少なくとも１つの実施形態では、安全なマルチペイロードアンテナオペレータオペレーションのためのシステムが、少なくとも１の顧客によって、少なくとも１の顧客の各々に関連付けられた少なくとも１つのアンテナの各々に対するアンテナ位置ポインティングリクエストを人工衛星オペレーションセンター（ＳＯＣ）へ送信することを含む。更に、該システムは、少なくとも１の顧客の各々に関連付けられた少なくとも１つのアンテナの各々に対するアンテナ位置ポインティングリクエストを使用して、非暗号化顧客指令を生成し、通信セキュリティ（ＣＯＭＳＥＣ）種を利用して、非暗号化顧客指令を暗号化して暗号化顧客指令を生成し、ＣＯＭＳＥＣ種を利用して、非暗号化ＳＯＣ指令を暗号化して暗号化ＳＯＣ指令を生成し（非暗号化ＳＯＣ指令は、ホストに関連付けられた少なくとも１つのアンテナに関連する）、暗号化顧客指令と暗号化ＳＯＣ指令を地上アンテナへ送信する、ＳＯＣを備える。更に、該システムは、暗号化顧客指令と暗号化ＳＯＣ指令を輸送体へ送信する地上アンテナを備える。更に、該システムは、ＣＯＭＳＥＣ種を利用して、暗号化顧客指令を復号して非暗号化顧客指令を生成し、ＣＯＭＳＥＣ種を利用して、暗号化ＳＯＣ指令を復号して非暗号化ＳＯＣ指令を生成する、輸送体上の通信セキュリティモジュールを備える。更に、該システムは、非暗号化顧客指令を使用することによって、少なくとも１の顧客の各々に関連付けられた各それぞれの少なくとも１つのアンテナに対する顧客アンテナジンバリング指令を生成し、非暗号化ＳＯＣ指令を使用することによって、ホストに関連付けられた各それぞれの少なくとも１つのアンテナに対するホストアンテナジンバリング指令を生成する、少なくとも１つのプロセッサを備える。更に、該システムは、顧客アンテナジンバリング指令を使用することによってジンバルされる少なくとも１の顧客の各々に関連付けられた少なくとも１つのアンテナの各々を備える。更に、該システムは、ホストアンテナジンバリング指令を使用することによってジンバルされるホストに関連付けられた少なくとも１つのアンテナの各々を備える。更に、該システムは、アンテナジンバリングテレメトリを使用することによって、非暗号化テレメトリを生成する、少なくとも１つのプロセッサを備える。更に、該システムは、ＣＯＭＳＥＣ種を使用して、非暗号化テレメトリを暗号化して暗号化テレメトリを生成する、通信セキュリティモジュールを備える。更に、該システムは、暗号化テレメトリを地上アンテナへ送信する輸送体を備える。更に、該システムは、暗号化テレメトリをＳＯＣへ送信する地上アンテナを備える。更に、該システムは、ＣＯＭＳＥＣ種を使用することによって、暗号化テレメトリを復号して非暗号化テレメトリを生成し、非暗号化テレメトリを使用することによって、少なくとも１の顧客の各々に関連付けられた少なくとも１つのアンテナの各々に対するアンテナポインティング位置を生成し、少なくとも１の顧客の各々に関連付けられた少なくとも１つのアンテナの各々に対するアンテナポインティング位置を、それぞれ、少なくとも１の顧客の各々へ送信する、ＳＯＣを備える。
【００１６】
１以上の実施形態では、安全なマルチペイロードアンテナオペレータオペレーションのための方法が、アンテナオペレーションセンター（ＡＯＣ）によって、少なくとも１の顧客の各々に関連付けられた少なくとも１つのアンテナの各々に対するアンテナ位置ポインティングリクエストを使用して、ＡＯＣ指令を生成することを含む。更に、該方法は、人工衛星オペレーションセンター（ＳＯＣ）によって、ＡＯＣ指令とＳＯＣ指令を地上アンテナを介して輸送体へ送信することを含む。１以上の実施形態では、ＳＯＣ指令が、ホストに関連付けられた少なくとも１つのアンテナに関連する。更に、該方法は、輸送体上で、ＡＯＣ指令を使用することによって、顧客アンテナジンバリング指令を生成することを含む。更に、該方法は、輸送体上で、ＳＯＣ指令を使用することによって、ホストアンテナジンバリング指令を生成することを含む。更に、該方法は、顧客アンテナジンバリング指令を使用することによって、少なくとも１の顧客の各々に関連付けられた少なくとも１つのアンテナの各々をそれぞれジンバルすることを含む。更に、該方法は、ホストアンテナジンバリング指令を使用することによって、ホストに関連付けられた少なくとも１つのアンテナの各々をそれぞれジンバルすることを含む。
【００１７】
１以上の実施形態では、安全なマルチペイロードアンテナオペレータオペレーションのためのシステムが、少なくとも１の顧客の各々に関連付けられた少なくとも１つのアンテナの各々に対するアンテナ位置ポインティングリクエストを使用してＡＯＣ指令を生成する、アンテナオペレーションセンター（ＡＯＣ）を備える。更に、該システムは、ＡＯＣ指令とＳＯＣ指令を地上アンテナを介して輸送体へ送信する、人工衛星オペレーションセンター（ＳＯＣ）を備える。１以上の実施形態では、ＳＯＣ指令が、ホストに関連付けられた少なくとも１つのアンテナに関連する。更なるシステムは、ＡＯＣ指令を使用することによって、顧客アンテナジンバリング指令を生成し、ＳＯＣ指令を使用することによって、ホストアンテナジンバリング指令を生成する、輸送体を備える。更に、該システムは、顧客アンテナジンバリング指令を使用することによって、それぞれ、ジンバルされる少なくとも１の顧客の各々に関連付けられた少なくとも１つのアンテナの各々を備える。更に、該システムは、ホストアンテナジンバリング指令を使用することによって、それぞれ、ジンバルされるホストに関連付けられた少なくとも１つのアンテナの各々を備える。
【００１８】
特徴、機能、及び利点は、本開示の様々な実施形態において単独で実現することができる場合があり、又は、更に他の実施形態において組み合わせることができる場合がある。
【００１９】
本発明のこれらの及び他の特徴、態様、及び利点は、下記の記載、特許請求の範囲、及び下記の添付図面によってより深く理解されるであろう。
【図面の簡単な説明】
【００２０】
【図１】本開示の少なくとも１つの実施形態による、アンテナオペレーションセンター（ＡＯＣ）、人工衛星オペレーションセンター（ＳＯＣ）アップリンク、及び暗号化のための単一の通信セキュリティ（ＣＯＭＳＥＣ）種を利用する、安全なマルチペイロードアンテナオペレータオペレーションのための本開示のシステムを示す図である。
【図２Ａ】本開示の少なくとも１つの実施形態による、ＡＯＣ、ＳＯＣアップリンク、及び暗号化のための単一のＣＯＭＳＥＣ種を利用する、安全なマルチペイロードアンテナオペレータオペレーションのための本開示の方法のフローチャートを示す。
【図２Ｂ】本開示の少なくとも１つの実施形態による、ＡＯＣ、ＳＯＣアップリンク、及び暗号化のための単一のＣＯＭＳＥＣ種を利用する、安全なマルチペイロードアンテナオペレータオペレーションのための本開示の方法のフローチャートを示す。
【図２Ｃ】本開示の少なくとも１つの実施形態による、ＡＯＣ、ＳＯＣアップリンク、及び暗号化のための単一のＣＯＭＳＥＣ種を利用する、安全なマルチペイロードアンテナオペレータオペレーションのための本開示の方法のフローチャートを示す。
【図２Ｄ】本開示の少なくとも１つの実施形態による、ＡＯＣ、ＳＯＣアップリンク、及び暗号化のための単一のＣＯＭＳＥＣ種を利用する、安全なマルチペイロードアンテナオペレータオペレーションのための本開示の方法のフローチャートを示す。
【図３】本開示の少なくとも１つの実施形態による、クライアント、ＳＯＣアップリンク、及び暗号化のための単一のＣＯＭＳＥＣ種を利用する、安全なマルチペイロードアンテナオペレータオペレーションのための本開示のシステムを示す図である。
【図４Ａ】本開示の少なくとも１つの実施形態による、クライアント、ＳＯＣアップリンク、及び暗号化のための単一のＣＯＭＳＥＣ種を利用する、安全なマルチペイロードアンテナオペレータオペレーションのための本開示の方法のフローチャートを示す。
【図４Ｂ】本開示の少なくとも１つの実施形態による、クライアント、ＳＯＣアップリンク、及び暗号化のための単一のＣＯＭＳＥＣ種を利用する、安全なマルチペイロードアンテナオペレータオペレーションのための本開示の方法のフローチャートを示す。
【図４Ｃ】本開示の少なくとも１つの実施形態による、クライアント、ＳＯＣアップリンク、及び暗号化のための単一のＣＯＭＳＥＣ種を利用する、安全なマルチペイロードアンテナオペレータオペレーションのための本開示の方法のフローチャートを示す。
【図４Ｄ】本開示の少なくとも１つの実施形態による、クライアント、ＳＯＣアップリンク、及び暗号化のための単一のＣＯＭＳＥＣ種を利用する、安全なマルチペイロードアンテナオペレータオペレーションのための本開示の方法のフローチャートを示す。
【図５】本開示の少なくとも１つの実施形態による、ＡＯＣアップリンク、ＳＯＣ、及び暗号化のための２つのＣＯＭＳＥＣ種を利用する、安全なマルチペイロードアンテナオペレータオペレーションのための本開示のシステムを示す図である。
【図６Ａ】本開示の少なくとも１つの実施形態による、ＡＯＣアップリンク、ＳＯＣ、及び暗号化のための２つのＣＯＭＳＥＣ種を利用する、安全なマルチペイロードアンテナオペレータオペレーションのための本開示の方法のフローチャートを示す。
【図６Ｂ】本開示の少なくとも１つの実施形態による、ＡＯＣアップリンク、ＳＯＣ、及び暗号化のための２つのＣＯＭＳＥＣ種を利用する、安全なマルチペイロードアンテナオペレータオペレーションのための本開示の方法のフローチャートを示す。
【図６Ｃ】本開示の少なくとも１つの実施形態による、ＡＯＣアップリンク、ＳＯＣ、及び暗号化のための２つのＣＯＭＳＥＣ種を利用する、安全なマルチペイロードアンテナオペレータオペレーションのための本開示の方法のフローチャートを示す。
【図６Ｄ】本開示の少なくとも１つの実施形態による、ＡＯＣアップリンク、ＳＯＣ、及び暗号化のための２つのＣＯＭＳＥＣ種を利用する、安全なマルチペイロードアンテナオペレータオペレーションのための本開示の方法のフローチャートを示す。
【図７】本開示の少なくとも１つの実施形態による、ＳＯＣアップリンク、及び暗号化のための単一のＣＯＭＳＥＣ種を利用する、安全なマルチペイロードアンテナオペレータオペレーションのための本開示のシステムを示す図である。
【図８Ａ】本開示の少なくとも１つの実施形態による、ＳＯＣアップリンク、及び暗号化のための単一のＣＯＭＳＥＣ種を利用する、安全なマルチペイロードアンテナオペレータオペレーションのための本開示の方法のフローチャートを示す。
【図８Ｂ】本開示の少なくとも１つの実施形態による、ＳＯＣアップリンク、及び暗号化のための単一のＣＯＭＳＥＣ種を利用する、安全なマルチペイロードアンテナオペレータオペレーションのための本開示の方法のフローチャートを示す。
【図８Ｃ】本開示の少なくとも１つの実施形態による、ＳＯＣアップリンク、及び暗号化のための単一のＣＯＭＳＥＣ種を利用する、安全なマルチペイロードアンテナオペレータオペレーションのための本開示の方法のフローチャートを示す。
【図８Ｄ】本開示の少なくとも１つの実施形態による、ＳＯＣアップリンク、及び暗号化のための単一のＣＯＭＳＥＣ種を利用する、安全なマルチペイロードアンテナオペレータオペレーションのための本開示の方法のフローチャートを示す。
【図９】本開示の少なくとも１つの実施形態による、安全なマルチペイロードアンテナオペレータオペレーションのための本開示のシステムに対して採用され得る、例示的なグラフィカルユーザインターフェース（ＧＵＩ）を示す図である。
【発明を実施するための形態】
【００２１】
本明細書で開示される方法及び装置は、安全なマルチペイロードアンテナオペレータオペレーションのための作動システムを提供する。本開示のシステムは、アンテナのオペレータが、輸送体のリソース（例えば、人工衛星の反射鏡アンテナ）を非公開に共有することを可能にする。
【００２２】
前述したように、現在、輸送体（例えば、人工衛星）上の典型的なアンテナ（例えば、反射鏡アンテナ）は、それらのポインティング位置を変更するために（例えば、それらのアンテナビームボアサイトを変更するために）操縦（すなわち、ジンバル）される能力を有する。このアンテナ操縦の全ては、輸送体上でアンテナを利用する顧客のためのリソースの割り当てのプライバシーなしに、単一の人工衛星コントローラ（例えば、ホスト）によって指示命令及び制御されている。
【００２３】
人工衛星のアンテナ（例えば、反射鏡アンテナ）は、種々のエンティティによって使用され得る。例えば、１以上のアンテナは、人工衛星の所有者（すなわち、ホスト）、１以上の顧客、又はそれらの何らかの組み合わせによって使用され得る。例えば、人工衛星の所有者は、種々のアンテナを種々の顧客にリースする場合がある。一例では、人工衛星のアンテナの第１の群が、第１の顧客にリースされる一方で、アンテナの第２の群が、第２の顧客にリースされてもよい。
【００２４】
複数の顧客に人工衛星をリースすることにより、人工衛星の所有者は、獲得できる収益を増やすことができる。更に、顧客は、人工衛星を構築して操縦するために、又は、人工衛星全体をリースするために、顧客が人工衛星を購入して操作するコストよりも低いコストで、人工衛星内の全リソースのサブセットを使用する場合がある。
【００２５】
人工衛星システムのアンテナの顧客は、（１以上の）所有者／オペレータ（例えば、ホスト）から独立した非公開の人工衛星ペイロードリソース（例えば、人工衛星の反射鏡アンテナ）のオペレーションを所望する。それによって、（１以上の）所有者／オペレータは、ペイロードの顧客がリソースをどのように使用しているかを知ることがない（例えば、（１以上の）所有者／オペレータは、アンテナのダウンリンク送信が何処に向いているか、ダウンリンクデータが何処に送信されているか、どれくらいの頻度でダウンリンクデータが送信されているか、などを知ることがない）。現在、人工衛星に対する全ての指令は、（１以上の）所有者／オペレータを経由している。顧客は、（１以上の）オペレータ／所有者に指令を提供し（又は代替的に彼らの所望の結果を特定し）、それによって、（１以上の）所有者／オペレータは、人工衛星上での顧客のオペレーションについての詳細の全てを知ることが可能である。その後、（１以上の）所有者／オペレータは、人工衛星に適切な指令を送信し、人工衛星はそれに従って再設定される。全ての指令は、概して、単一の通信リンクを介して送信される。
【００２６】
本開示のシステムは、１以上の実施形態において、顧客が（（１以上の）ダウンリンクアンテナビームのボアサイトの緯度及び経度などの）非暗号化指令タイプの情報を、プライバシーが守られた中間アンテナオペレーションセンター（ＡＯＣ）へ送信することを可能にすることによって、非所有者／非主顧客エンティティ（例えば、顧客）に、人工衛星のペイロードリソースの所定の部分への（例えば、１以上の人口衛星の反射鏡アンテナへの）独立した限定された制御を提供する。その後、ＡＯＣは、非暗号化指令タイプの情報を使用して、暗号化ペイロード指令を生成し、人工衛星オペレータセンター（ＳＯＣ）へ送信する。その後、ＳＯＣは、暗号化ペイロード指令を人工衛星へ送信する。ペイロード指令は暗号化されているので、ＳＯＣは、その指令の詳細を知ることがない。人工衛星が指令に従って再設定された（例えば、人工衛星の反射鏡アンテナが、各々、特定の緯度及び経度に従ってジンバルされた）後で、ＳＯＣは、人工衛星から暗号化テレメトリ指令を受信する。その後、ＳＯＣは、暗号化テレメトリ指令を非暗号化し、非暗号化テレメトリ指令をＡＯＣへ送信する。ＡＯＣは、生テレメトリデータを最初に顧客によって提供された特定の指令タイプの情報（例えば、（１以上の）ダウンリンクアンテナビームのボアサイトの緯度及び経度）に変換し、その後、その変換された情報を顧客へ送信する。
【００２７】
下記の説明には、システムの更に徹底した説明を提供するため、多数の詳細事項が記載されている。しかし、開示されたシステムが、これらの具体的な詳細事項なしで実施可能であることは、当業者には明らかであろう。その他の場合では、システムを不要に分かりにくくしないよう、よく知られる特徴については詳細に説明していない。
【００２８】
本開示の実施形態は、本明細書において、機能的及び／又は論理的な構成要素、並びに様々な処理ステップの観点から説明される場合がある。このような構成要素は、特定の機能を実施するように設定された任意の数のハードウェア、ソフトウェア、及び／又はファームウェア構成要素によって実現可能であることを理解されたい。例えば、本開示の実施形態は、様々な集積回路構成要素（例えば、メモリ素子、デジタル信号処理素子、論理素子、ルックアップテーブルなど）を利用し得るが、これらは、１つ又は複数のプロセッサ、マイクロプロセッサ、或いはその他の制御装置の制御の下で、様々な機能を実行することができる。加えて、当業者であれば、本開示の実施形態を他の構成要素と併せて実施することが可能であり、本明細書に記載されたシステムは、本開示の１つの例示的な実施形態に過ぎないことを理解するであろう。
【００２９】
簡潔にするため、衛星通信システムに関する従来の技法及び構成要素、並びにシステム（及びシステムの個別の動作構成要素）のその他の機能的態様は、本明細書に詳細に記載されない場合がある。さらに、本明細書に含まれる種々の図面で示される接続線は、種々の要素間の例示的な機能関連性及び／又は物理的連結を示すことが意図されている。本開示の実施形態には、多数の代替的又は追加的な機能関連性又は物理的連結が存在し得ることに留意されたい。
【００３０】
図１は、本開示の少なくとも１つの実施形態による、アンテナオペレーションセンター（ＡＯＣ）１６０、人工衛星オペレーションセンター（ＳＯＣ）１５０アップリンク１０８、及び暗号化のための単一の通信セキュリティ（ＣＯＭＳＥＣ）種（例えば、ＣＯＭＳＥＣ種１）を利用する、安全なマルチペイロードアンテナオペレータオペレーションのための本開示のシステムを示す図１００である。この図では、輸送体１１０、人工衛星オペレーションセンター（ＳＯＣ）１５０、アンテナオペレーションセンター（ＡＯＣ）１６０、及び複数の顧客１７０（すなわち、ｎ個の顧客、ここで、ｎは１以上である）が示されている。顧客１７０は、各々、輸送体１１０上の少なくとも１つのアンテナ１２１を、人工衛星の所有者（すなわち、ＳＯＣ１５０（すなわち、ホスト））からリースしている。ある実施形態では、顧客１７０が、輸送体１１０上のアンテナ１２０、１２１の全てを、人工衛星の所有者（すなわち、ＳＯＣ１５０）からリースし得ることに留意されたい。これらの実施形態では、以下でより詳細に説明されることとなるＳＯＣ指令が、単に非動作指令であるか又は存在しない。
【００３１】
飛行輸送体を含む様々な異なるタイプの輸送体１１０が、輸送体１１０に対して採用され得るが、それらに限定されるものではない。また、人工衛星、航空機、無人航空機（ＵＡＶ）、及び宇宙飛行機を含む様々な異なるタイプの飛行輸送体が、輸送体１１０に対して採用され得るが、それらに限定されるものではない。更に、静止地球軌道（ＧＥＯ）衛星、中間地球軌道（ＭＥＯ）、低軌道（ＬＥＯ）、及び高度な楕円軌道（ＨＥＯ）衛星を含む様々な異なるタイプの人工衛星が、輸送体１１０に対して採用され得るが、それらに限定されるものではない。
【００３２】
動作中に、各顧客１７０は、顧客１７０に関連付けられた各アンテナ１２１に対するアンテナポインティングリクエストを生成する。例えば、顧客＃１１７０は、輸送体１１０上の顧客＃１に割り当てられたアンテナ１２１に対するアンテナポインティングリクエストを生成する。顧客１７０がアンテナポインティングリクエストを生成する様々な異なるやり方が存在し得る。１以上の実施形態では、顧客１７０が、（例えば、顧客１７０の遠隔位置における）グラフィカルユーザインターフェース（ＧＵＩ）を利用して、顧客がリースしている輸送体１１０上の各アンテナに対するアンテナビームのボアサイトに対する特定の緯度及び経度の位置を選択（又は入力）する。採用され得るＧＵＩの一例が、図９で示されている。
【００３３】
図９は、本開示の少なくとも１つの実施形態による、安全なマルチペイロードアンテナオペレータオペレーションのための本開示のシステムに対して採用され得る、例示的なグラフィカルユーザインターフェース（ＧＵＩ）を示す図９００である。この図では、６個の異なるアンテナに対するアンテナビームのボアサイトの所望の位置の緯度及び経度のための入力ボックスを表示するコンピュータスクリーン９１０が示されている。１以上の実施形態では、輸送体１１０上で顧客が使用しているアンテナのボアサイトに対する所望の緯度及び経度を、どの入力ボックスに書き込むかを選択するために、顧客はマウス９２０（又は何らかの他の手段）を使用し得る。その後、顧客は、所望の位置に対する緯度数及び経度数を単に書き込むだけであり得る。例えば、顧客が、アンテナ１を使用しており、アンテナ１がドイツのベルリンを指すようなアンテナビームのボアサイトを望むならば、顧客は、アンテナ１に対する緯度入力ボックス内に「52.520007」度を書き込み、アンテナ１に対する経度入力ボックス内に「13.404954」度を書き込むこととなる。ある実施形態では、そのようにした後で、コンピュータスクリーン９１０は、地図上で対応するアンテナビームボアサイト位置を表示することとなる。
【００３４】
図１に戻って参照すると、各顧客１７０が、その顧客１７０に関連付けられた各アンテナ１２１に対するアンテナポインティングリクエスト（例えば、アンテナビームのボアサイトに対する特定の緯度及び経度の位置）を生成した後で、各顧客１７０は、（例えば、インターネットにわたるウェブブラウザを介して（例えば、仮想プライベートネットワーク（ＶＰＮ）にわたるインターネットプロトコルセキュリティ（ＩＰｓｅｃ）を有する地上波リンクを介して））彼らのアンテナポインティングリクエストをＡＯＣ１６０へ送信する（１０５）。１以上の実施形態では、アンテナポインティングリクエストが、暗号化なしに送信される（１０５）。しかし、他の実施形態では、顧客１７０とＡＯＣ１６０との間で利用されるポイントトゥポイント（point-to-point）暗号化が存在し得る。
【００３５】
ＡＯＣ１６０が、顧客１７０からアンテナポインティングリクエストを受信した後で、ＡＯＣ１６０は、アンテナポインティングリクエストを使用して、非暗号化ＡＯＣ指令又は顧客指令を生成する。非暗号化ＡＯＣ指令は、それらのそれぞれのアンテナポインティングリクエストに従って、顧客１７０に関連付けられた各アンテナ１２１のためのジンバリング機構に指示命令するように使用される指令である。例えば、顧客＃１１７０が、顧客＃１に割り当てられたアンテナ１２１のアンテナビームの緯度及び経度がドイツのベルリンを指すように、顧客＃１に割り当てられたアンテナ１２１がジンバルされるべきであると特定し、現在、顧客＃１に割り当てられたアンテナ１２１のアンテナビームの緯度及び経度が、イギリスのロンドンにあるならば、非暗号化ＡＯＣ指令は、輸送体１１０上のジンバリング機構（例えば、ステッパモータ）が、それに従って顧客＃１に割り当てられたアンテナ１２１を（例えば、方位角において１０ステップ及び高度において１ステップだけ）ジンバル（すなわち、操縦）すると明記することとなる。
【００３６】
ＡＯＣ１６０が非暗号化ＡＯＣ指令を生成した後で、ＡＯＣ１０６は、（例えば、仮想プライベートネットワーク（ＶＰＮ）にわたるインターネットプロトコルセキュリティ（ＩＰｓｅｃ）を有する地上波リンクを介して）非暗号化ＡＯＣ指令をＳＯＣ１５０へ送信する（１０６）。その後、ＳＯＣ１５０は、通信セキュリティ（ＣＯＭＳＥＣ）種を利用して、非暗号化ＡＯＣ指令を暗号化し、暗号化ＡＯＣ指令を生成する。ＣＯＭＳＥＣ種は、少なくとも１つの暗号キー及び／又は少なくとも１つのアルゴリズム（例えば、タイプ１の暗号化アルゴリズム又はタイプ２の暗号化アルゴリズム）を含み得ることに留意するべきである。
【００３７】
更に、ＳＯＣ１５０は、通信セキュリティ（ＣＯＭＳＥＣ）種を使用して、非暗号化ＳＯＣ指令を暗号化し、暗号化ＳＯＣ指令を生成する。非暗号化ＳＯＣ指令は、ホストのそれぞれのアンテナポインティングリクエストに従って、ホスト（すなわち、ＳＯＣ１５０）に関連付けられた各アンテナ１２０のためのジンバリング機構に指示命令するように使用される指令であることが留意されるべきである。非暗号化ＡＯＣ指令に類似して、非暗号化ＳＯＣ指令は、輸送体１１０上のジンバリング機構（例えば、ステッパモータ）が、それに従って各ホストに割り当てられたアンテナ１２０をジンバル（すなわち、操縦）すると明記することとなる。
【００３８】
その後、ＳＯＣ１５０は、（例えば、仮想プライベートネットワーク（ＶＰＮ）にわたるインターネットプロトコルセキュリティ（ＩＰｓｅｃ）を有する地上波リンクを介して）暗号化ＡＯＣ指令と暗号化ＳＯＣ指令を地上アンテナ１３０へ送信する（１０７）こととなる。図１では、ＳＯＣ１５０が地上アンテナ１３０から離れて位置するように描かれているが、ある実施形態では、地上アンテナ１３０が、ＳＯＣ１５０のすぐ隣に位置してもよいことに留意するべきである。
【００３９】
その後、地上アンテナ１３０は、暗号化ＡＯＣ指令と暗号化ＳＯＣ指令を輸送体１１０へ送信する（１０８）。地上アンテナ１３０は、（１以上の）帯域外の周波数帯域（すなわち、ペイロードデータを送信するためにアンテナ１２０、１２１によって利用されるのと同じ（１以上の）周波数帯域ではない（１以上の）周波数帯域）を利用して、暗号化ＡＯＣ指令と暗号化ＳＯＣ指令を送信する（１０８）。輸送体１１０上の指令受信器１４０は、暗号化ＡＯＣ指令と暗号化ＳＯＣ指令を受信する。他の実施形態では、本開示のシステムが、図１で示されている１つの指令受信器１４０より多い指令受信器１４０を採用してもよいことに留意するべきである。
【００４０】
その後、指令受信器１４０は、暗号化ＡＯＣ指令と暗号化ＳＯＣ指令を通信セキュリティモジュール１４５へ送信する（１０９）。通信セキュリティモジュール１４５は、ＣＯＭＳＥＣ種を利用して、暗号化ＡＯＣ指令を復号し、非暗号化ＡＯＣ指令を生成する。更に、通信セキュリティモジュール１４５は、ＣＯＭＳＥＣ種（例えば、ＣＯＭＳＥＣ種１）を利用して、暗号化ＳＯＣ指令を復号し、非暗号化ＳＯＣ指令を生成する。
【００４１】
通信セキュリティモジュール１４５は、１以上のモジュールを備えてもよいことが留意されるべきである。更に、通信セキュリティモジュール１４５は、１以上のプロセッサを備えてもよい。
【００４２】
その後、通信セキュリティモジュール１４５は、非暗号化ＡＯＣ指令と非暗号化ＳＯＣ指令を少なくとも１つのプロセッサ１５５へ送信する（１０１、１１１）。その後、（１以上の）プロセッサ１５５は、非暗号化ＡＯＣ指令を使用することによって、各顧客アンテナ１２１に対する顧客アンテナジンバリング指令（例えば、各アンテナのためのジンバリング機構のステッパモータに対する機械指令）を生成する。更に、（１以上の）プロセッサ１５５は、非暗号化ＳＯＣ指令を使用することによって、各ホストアンテナ１２０に対するホストアンテナジンバリング指令（例えば、各アンテナのためのジンバリング機構のステッパモータに対する機械指令）を生成する。
【００４３】
その後、（１以上の）プロセッサ１５５は、顧客アンテナジンバリング指令をそれぞれ各顧客アンテナ１２１へ送信する（１１２）。各顧客アンテナ１２１のためのジンバリング機構は、その特定の顧客アンテナジンバリング指令に従って、その関連する顧客アンテナ１２１をジンバル（すなわち、操縦）する。各顧客アンテナ１２１は、その関連するアンテナビーム内のペイロードデータを、地上の少なくとも１の顧客受信アンテナ１９０へ送信する。
【００４４】
更に、（１以上の）プロセッサ１５５は、ホストアンテナジンバリング指令をそれぞれ各ホストアンテナ１２０へ送信する（１１２）。各ホストアンテナ１２０のためのジンバリング機構は、その特定のホストアンテナジンバリング指令に従って、その関連するホストアンテナ１２０をジンバル（すなわち、操縦）する。各ホストアンテナ１２０は、その関連するアンテナビーム内のペイロードデータを、地上の少なくとも１つのホスト受信アンテナ１８５へ送信する。
【００４５】
１以上の実施形態では、各顧客アンテナ１２１及び／又は各ホストアンテナ１２０が、反射器、及び反射器をジンバル（すなわち、操縦）するジンバリング機構を備えることに留意されたい。ある実施形態では、各顧客アンテナ１２１及び／又は各ホストアンテナ１２０が、少なくとも２つの反射器（すなわち、主たる反射器及び少なくとも１つの従たる反射器）、及び主たる反射器をジンバル（すなわち、操縦）するジンバリング機構を備える。主たる反射器及び／又は（１以上の）従たる反射器は、放物型反射器又は成形された反射器であり得ることが留意されるべきである。各顧客アンテナ１２１及び／又は各ホストアンテナ１２０が、２つの反射器（すなわち、主たる反射器と１つの従たる反射器）、及び主たる反射器をジンバル（すなわち、操縦）するジンバリング機構を備えた実施形態では、反射器（すなわち、主たる反射器と従たる反射器）が、グレゴリアン反射器アンテナ構成又はカセグレンアンテナ構成内に配置され得る。他の実施形態では、各顧客アンテナ１２１及び／又は各ホストアンテナ１２０が、少なくとも１つの直接放射ホーンアンテナ（例えば、ホーンアンテナのアレイ）、及び（１以上の）直接放射ホーンアンテナをジンバル（すなわち、操縦）するジンバリング機構を備える（例えば、ジンバリング機構は、ホーンを個別にジンバルし、又はジンバリング機構は、プラットフォームをジンバルし、ここで、直接放射ホーンアンテナはプラットフォーム上に設けられている）。
【００４６】
その後、各顧客アンテナ１２１と各ホストアンテナ１２０は、それらのそれぞれのジンバリング機構から（１以上の）プロセッサ１５５へ、アンテナジンバリングテレメトリ（例えば、アンテナがそれに従ってジンバルされたことを示す機械テレメトリ）を送信する（１１３）。その後、（１以上の）プロセッサ１５５は、ジンバリングテレメトリを使用することによって、非暗号化テレメトリを生成する。
【００４７】
その後、（１以上の）プロセッサ１５５は、非暗号化テレメトリを通信セキュリティモジュール１４５へ送信する（１１４）。通信セキュリティモジュール１４５は、ＣＯＭＳＥＣ種（例えば、ＣＯＭＳＥＣ種１）を使用して、非暗号化テレメトリを暗号化し、暗号化テレメトリを生成する。その後、通信セキュリティモジュール１４５は、暗号化テレメトリをテレメトリ送信器１６５へ送信する（１１５）。他の実施形態では、本開示のシステムが、図１で示されている１つのテレメトリ受信器１６５より多いテレメトリ受信器１６５を採用してもよいことに留意するべきである。
【００４８】
その後、テレメトリ送信器１６５は、暗号化テレメトリを地上アンテナ１３０へ送信する（１１６）。テレメトリ送信器１６５は、（１以上の）帯域外の周波数帯域（すなわち、ペイロードデータを送信するためにアンテナ１２０、１２１によって利用されるのと同じ（１以上の）周波数帯域ではない（１以上の）周波数帯域）を利用して、暗号化テレメトリを送信する（１１６）。
【００４９】
その後、地上アンテナ１３０は、（例えば、仮想プライベートネットワーク（ＶＰＮ）にわたるインターネットプロトコルセキュリティ（ＩＰｓｅｃ）を有する地上波リンクを介して）暗号化テレメトリをＳＯＣ１５０へ送信する（１１７）。その後、ＳＯＣ１５０は、ＣＯＭＳＥＣ種を使用して、暗号化テレメトリを復号し、非暗号化テレメトリを生成する。その後、ＳＯＣ１５０は、ホストアンテナのデコミュテートされた（decommutated）情報を備え、顧客アンテナのデコミュテートされた情報を備えない、データベース（すなわち、顧客アンテナのデコミュテートされた情報がないデータベース）を利用して、非暗号化テレメトリを読み出し、ＳＯＣ１５０（すなわち、ホスト）によって利用される（１以上の）アンテナ１２０に関連するテレメトリデータを決定する。
【００５０】
その後、ＳＯＣ１５０は、（例えば、仮想プライベートネットワーク（ＶＰＮ）にわたるインターネットプロトコルセキュリティ（ＩＰｓｅｃ）を有する地上波リンクを介して）非暗号化テレメトリをＡＯＣ１６０へ送信する（１１８）。その後、ＡＯＣ１６０は、顧客アンテナのデコミュテートされた情報を備え、ホストアンテナのデコミュテートされた情報を備えない、データベース（すなわち、ホストアンテナのデコミュテートされた情報がないデータベース）を利用して、非暗号化テレメトリを読み出し、顧客１７０によって利用される（１以上の）アンテナ１２１に関連するテレメトリデータを決定する。その後、ＡＯＣ１６０は、非暗号化テレメトリを使用することによって、各顧客１７０に関連付けられた各アンテナ１２１に対するアンテナポインティング位置（例えば、アンテナビームのボアサイトに対する特定の緯度と経度の位置）を生成する。その後、ＡＯＣ１６０は、（例えば、インターネットにわたるウェブブラウザを介して（例えば、仮想プライベートネットワーク（ＶＰＮ）にわたるインターネットプロトコルセキュリティ（ＩＰｓｅｃ）を有する地上波リンクを介して））各顧客１７０に関連付けられた各アンテナ１２１に対するアンテナポインティング位置を、それぞれ、各顧客１７０へ送信する（１１９）。その後、１以上の実施形態では、各顧客１７０に関連付けられた各アンテナ１２１に対するアンテナポインティング位置（例えば、アンテナビームのボアサイトに対する特定の緯度と経度の位置）が、各顧客１７０に関連付けられたコンピュータスクリーン９１０（図９参照）上にそれぞれ表示されることとなる。
【００５１】
図２Ａ、図２Ｂ、図２Ｃ、及び図２Ｄは、併せて、本開示の少なくとも１つの実施形態による、ＡＯＣ、ＳＯＣアップリンク、及び暗号化のための単一のＣＯＭＳＥＣ種を利用する、安全なマルチペイロードアンテナオペレータオペレーションのための本開示の方法のフローチャートを示している。該方法の開始２００において、少なくとも１の顧客が、少なくとも１の顧客の各々に関連付けられた少なくとも１つのアンテナの各々に対するアンテナ位置ポインティングリクエストを、アンテナオペレーションセンター（ＡＯＣ）へ送信する（２０５）。その後、ＡＯＣは、少なくとも１つのアンテナの各々に対するアンテナ位置ポインティングリクエストを使用して、非暗号化ＡＯＣ指令を生成する（２１０）。その後、ＡＯＣは、非暗号化ＡＯＣ指令を人工衛星オペレーションセンター（ＳＯＣ）へ送信する（２１５）。その後、ＳＯＣは、通信セキュリティ（ＣＯＭＳＥＣ）種を利用して、非暗号化ＡＯＣ指令を暗号化し、暗号化ＡＯＣ指令を生成する（２２０）。更に、ＳＯＣは、ＣＯＭＳＥＣ種を利用して、非暗号化ＳＯＣ指令を暗号化し、暗号化ＳＯＣ指令を生成する（２２５）。ここで、非暗号化ＳＯＣ指令は、ホストに関連付けられた少なくとも１つのアンテナに関連する。その後、ＳＯＣは、暗号化ＡＯＣ指令と暗号化ＳＯＣ指令を地上アンテナ２３０へ送信する（２３０）。その後、地上アンテナは、暗号化ＡＯＣ指令と暗号化ＳＯＣ指令を、輸送体上の少なくとも１つの指令受信器へ送信する（２３５）。
【００５２】
その後、輸送体上の少なくとも１つの指令受信器は、暗号化ＡＯＣ指令と暗号化ＳＯＣ指令を、輸送体上の通信セキュリティモジュールへ送信する（２４０）。通信セキュリティモジュールは、ＣＯＭＳＥＣ種を利用して、暗号化ＡＯＣ指令を復号し、非暗号化ＡＯＣ指令を生成する（２４５）。更に、輸送体上の通信セキュリティモジュールは、ＣＯＭＳＥＣ種を利用して、暗号化ＳＯＣ指令を復号し、非暗号化ＳＯＣ指令を生成する（２５０）。その後、輸送体上の通信セキュリティモジュールは、非暗号化ＡＯＣ指令と非暗号化ＳＯＣ指令を、輸送体上の少なくとも１つのプロセッサへ送信する（２５５）。その後、少なくとも１つのプロセッサは、非暗号化ＡＯＣ指令を使用することによって、少なくとも１の顧客の各々に関連付けられた各それぞれの少なくとも１つのアンテナに対する顧客アンテナジンバリング指令を生成する（２６０）。更に、少なくとも１つのプロセッサは、非暗号化ＳＯＣ指令を使用することによって、ホストに関連付けられた各それぞれの少なくとも１つのアンテナに対するホストアンテナジンバリング指令を生成する（２６５）。少なくとも１つのプロセッサは、顧客アンテナジンバリング指令を、それぞれ、少なくとも１の顧客の各々に関連付けられた少なくとも１つのアンテナの各々へ送信する（２７０）。更に、少なくとも１つのプロセッサは、ホストアンテナジンバリング指令を、それぞれ、ホストに関連付けられた少なくとも１つのアンテナの各々へ送信する（２７５）。その後、少なくとも１の顧客の各々に関連付けられた少なくとも１つのアンテナの各々が、それぞれ、顧客アンテナジンバリング指令を使用することによってジンバルされる（２８０）。更に、ホストに関連付けられた少なくとも１つのアンテナの各々が、それぞれ、ホストジンバリング指令を使用してジンバルされる（２８１）。
【００５３】
その後、少なくとも１の顧客の各々に関連付けられた少なくとも１つのアンテナの各々とホストに関連付けられた少なくとも１つのアンテナの各々が、ジンバリングテレメトリを少なくとも１つのプロセッサへ送信する（２８２）。その後、少なくとも１つのプロセッサは、アンテナジンバリングテレメトリを使用することによって、非暗号化テレメトリを生成する（２８３）。その後、少なくとも１つのプロセッサは、非暗号化テレメトリを通信セキュリティモジュールへ送信する（２８４）。その後、通信セキュリティモジュールは、ＣＯＭＳＥＣ種を使用して、非暗号化テレメトリを暗号化し、暗号化テレメトリを生成する（２８５）。その後、通信セキュリティモジュールは、暗号化テレメトリを少なくとも１つのテレメトリ送信器へ送信する（２８６）。その後、少なくとも１つのテレメトリ送信器は、暗号化テレメトリを地上アンテナへ送信する（２８７）。
【００５４】
その後、地上アンテナは、暗号化テレメトリをＳＯＣへ送信する（２８８）。その後、ＳＯＣは、ＣＯＭＳＥＣ種を利用して、暗号化テレメトリを復号し、非暗号化テレメトリを生成する（２８９）。その後、ＳＯＣは、非暗号化テレメトリをＡＯＣへ送信する（２９０）。その後、ＡＯＣは、暗号化テレメトリを使用することによって、少なくとも１の顧客の各々に関連付けられた少なくとも１つのアンテナの各々に対するアンテナポインティング位置を生成する（２９１）。その後、ＡＯＣは、少なくとも１の顧客の各々に関連付けられた少なくとも１つのアンテナの各々に対するアンテナポインティング位置を、それぞれ、少なくとも１の顧客の各々へ送信する（２９２）。その後、方法は終了する（２９３）。
【００５５】
図３は、本開示の少なくとも１つの実施形態による、クライアント（例えば、ワークステーション（ｗ／ｓ））３６０、ＳＯＣアップリンク３０８、及び暗号化のための単一のＣＯＭＳＥＣ種（例えば、ＣＯＭＳＥＣ種１）を利用する、安全なマルチペイロードアンテナオペレータオペレーションのための本開示のシステムを示す図３００である。この図では、輸送体３１０、（ＳＯＣのプライマリサーバ３５０とクライアント（例えば、ワークステーション（ｗ／ｓ）３６０を備えた、すなわち）人工衛星オペレーションセンター（ＳＯＣ）３５１、及び複数の顧客３７０（すなわち、ｎ個の顧客、ここで、ｎは１以上である）が示されている。顧客３７０は、各々、輸送体３１０上の少なくとも１つのアンテナ３２１を、人工衛星の所有者（すなわち、ＳＯＣ３５１（すなわち、ホスト））からリースしている。ある実施形態では、顧客３７０が、輸送体３１０上のアンテナ３２０、３２１の全てを、人工衛星の所有者（すなわち、ＳＯＣ３５１）からリースし得ることに留意されたい。これらの実施形態では、以下でより詳細に説明されることとなるＳＯＣ指令が、単に非動作指令であるか又は存在しない。
【００５６】
飛行輸送体を含む様々な異なるタイプの輸送体３１０が、輸送体３１０に対して採用され得るが、それらに限定されるものではない。また、人工衛星、航空機、無人航空機（ＵＡＶ）、及び宇宙飛行機を含む様々な異なるタイプの飛行輸送体が、輸送体３１０に対して採用され得るが、それらに限定されるものではない。更に、静止地球軌道（ＧＥＯ）衛星、中間地球軌道（ＭＥＯ）、低軌道（ＬＥＯ）、及び高度な楕円軌道（ＨＥＯ）衛星を含む様々な異なるタイプの人工衛星が、輸送体３１０に対して採用され得るが、それらに限定されるものではない。
【００５７】
動作中に、各顧客３７０は、顧客３７０に関連付けられた各アンテナ３２１に対するアンテナポインティングリクエストを生成する。例えば、顧客＃１３７０は、輸送体３１０上の顧客＃１に割り当てられたアンテナ３２１に対するアンテナポインティングリクエストを生成する。顧客３７０がアンテナポインティングリクエストを生成する様々な異なるやり方が存在し得る。１以上の実施形態では、顧客３７０が、（例えば、顧客３７０の遠隔位置における）グラフィカルユーザインターフェース（ＧＵＩ）を利用して、顧客がリースしている輸送体３１０上の各アンテナに対するアンテナビームのボアサイトに対する特定の緯度及び経度の位置を選択（又は入力）する。採用され得るＧＵＩの一例が、図９で示されている。図９におけるＧＵＩの詳細に関する説明は、前述の説明に含まれ得る。
【００５８】
各顧客３７０が、その顧客３７０に関連付けられた各アンテナ３２１に対してアンテナポインティングリクエスト（例えば、アンテナビームのボアサイトに対する特定の緯度及び経度の位置）を生成した後で、各顧客３７０は、（例えば、インターネットにわたるウェブブラウザを介して（例えば、仮想プライベートネットワーク（ＶＰＮ）にわたるインターネットプロトコルセキュリティ（ＩＰｓｅｃ）を有する地上波リンクを介して））彼らのアンテナポインティングリクエストをクライアント３６０へ送信する（３０５）。１以上の実施形態では、アンテナポインティングリクエストが、暗号化なしに送信される（３０５）。しかし、他の実施形態では、顧客３７０とクライアント３６０との間で利用されるポイントトゥポイント（point-to-point）暗号化が存在し得る。
【００５９】
クライアント３６０は、ＳＯＣのプライマリサーバ３５０において又はその近くに位置付けられていることが留意されるべきである。クライアント３６０は、顧客３７０とＳＯＣのプライマリサーバ３５０との間の緩衝として働いて、ＳＯＣのプライマリサーバ３５０のためのセキュリティの層を追加する。
【００６０】
クライアント３６０が、顧客３７０からアンテナポインティングリクエストを受信した後で、クライアント３６０は、アンテナポインティングリクエストを使用して、非暗号化顧客指令を生成する。非暗号化顧客指令は、それらのそれぞれのアンテナポインティングリクエストに従って、顧客３７０に関連付けられた各アンテナ３２１のためのジンバリング機構に指示命令するように使用される指令である。例えば、顧客＃１３７０が、顧客＃１に割り当てられたアンテナ３２１のアンテナビームの緯度及び経度がドイツのベルリンを指すように、顧客＃１に割り当てられたアンテナ３２１がジンバルされるべきであると特定し、現在、顧客＃１に割り当てられたアンテナ３２１のアンテナビームの緯度及び経度が、イギリスのロンドンにあるならば、非暗号化顧客指令は、輸送体３１０上のジンバリング機構（例えば、ステッパモータ）が、それに従って顧客＃１に割り当てられたアンテナ３２１を（例えば、方位角において１０ステップ及び高度において１ステップだけ）ジンバル（すなわち、操縦）すると明記することとなる。
【００６１】
クライアント３６０が、非暗号化顧客指令を生成した後で、クライアント３６０は、非暗号化顧客指令をＳＯＣのプライマリサーバ３５０へ送信する（３０６）。その後、ＳＯＣのプライマリサーバ３５０は、通信セキュリティ（ＣＯＭＳＥＣ）種を利用して、非暗号化顧客指令を暗号化し、暗号化顧客指令を生成する。ＣＯＭＳＥＣ種は、少なくとも１つの暗号キー及び／又は少なくとも１つのアルゴリズム（例えば、タイプ１の暗号化アルゴリズム又はタイプ２の暗号化アルゴリズム）を含み得ることに留意するべきである。
【００６２】
更に、ＳＯＣのプライマリサーバ３５０は、ＣＯＭＳＥＣ種を使用して、非暗号化ＳＯＣ指令を暗号化し、暗号化ＳＯＣ指令を生成する。非暗号化ＳＯＣ指令は、ホストのそれぞれのアンテナポインティングリクエストに従って、ホスト（すなわち、ＳＯＣ３５１）に関連付けられた各アンテナ３２０のためのジンバリング機構に指示命令するように使用される指令であることが留意されるべきである。非暗号化顧客指令に類似して、非暗号化ＳＯＣ指令は、輸送体３１０上のジンバリング機構（例えば、ステッパモータ）が、それに従って各ホストに割り当てられたアンテナ３２０をジンバル（すなわち、操縦）すると明記することとなる。
【００６３】
その後、ＳＯＣのプライマリサーバ３５０は、（例えば、仮想プライベートネットワーク（ＶＰＮ）にわたるインターネットプロトコルセキュリティ（ＩＰｓｅｃ）を有する地上波リンクを介して）暗号化顧客指令と暗号化ＳＯＣ指令を地上アンテナ３３０へ送信する（３０７）こととなる。図３では、ＳＯＣ３５１が地上アンテナ３３０から離れて位置するように描かれているが、ある実施形態では、地上アンテナ３３０が、ＳＯＣ３５１のすぐ隣に位置してもよいことが留意されるべきである。
【００６４】
その後、地上アンテナ３３０は、暗号化顧客指令と暗号化ＳＯＣ指令を輸送体３１０へ送信する（３０８）。地上アンテナ３３０は、（１以上の）帯域外の周波数帯域（すなわち、ペイロードデータを送信するためにアンテナ３２０、３２１によって利用されるのと同じ（１以上の）周波数帯域ではない（１以上の）周波数帯域）を利用して、暗号化顧客指令と暗号化ＳＯＣ指令を送信する（３０８）。輸送体３１０上の指令受信器３４０が、暗号化顧客指令と暗号化ＳＯＣ指令を受信する。他の実施形態では、本開示のシステムが、図３で示されている１つの指令受信器３４０より多い指令受信器３４０を採用してもよいことが留意されるべきである。
【００６５】
その後、指令受信器３４０は、暗号化顧客指令と暗号化ＳＯＣ指令を通信セキュリティモジュール３４５へ送信する（３０９）。通信セキュリティモジュール３４５は、ＣＯＭＳＥＣ種を利用して、暗号化顧客指令を復号し、非暗号化顧客指令を生成する。更に、通信セキュリティモジュール３４５は、ＣＯＭＳＥＣ種（例えば、ＣＯＭＳＥＣ種１）を利用して、暗号化ＳＯＣ指令を復号し、非暗号化ＳＯＣ指令を生成する。
【００６６】
通信セキュリティモジュール３４５は、１以上のモジュールを備えてもよいことが留意されるべきである。更に、通信セキュリティモジュール３４５は、１以上のプロセッサを備えてもよい。
【００６７】
その後、通信セキュリティモジュール３４５は、非暗号化顧客指令と非暗号化ＳＯＣ指令を少なくとも１つのプロセッサ３５５へ送信する（３０１）。その後、（１以上の）プロセッサ３５５は、非暗号化顧客指令を使用することによって、各顧客アンテナ３２１に対する顧客アンテナジンバリング指令（例えば、各アンテナのためのジンバリング機構のステッパモータに対する機械指令）を生成する。更に、（１以上の）プロセッサ３５５は、非暗号化ＳＯＣ指令を使用することによって、各ホストアンテナ３２０に対するホストアンテナジンバリング指令（例えば、各アンテナのためのジンバリング機構のステッパモータに対する機械指令）を生成する。
【００６８】
その後、（１以上の）プロセッサ３５５は、顧客アンテナジンバリング指令をそれぞれ各顧客アンテナ３２１へ送信する（３１２）。各顧客アンテナ３２１のためのジンバリング機構は、その特定の顧客アンテナジンバリング指令に従って、その関連する顧客アンテナ３２１をジンバル（すなわち、操縦）する。各顧客アンテナ３２１は、その関連するアンテナビーム内のペイロードデータを、地上の少なくとも１の顧客受信アンテナ３９０へ送信する。
【００６９】
更に、（１以上の）プロセッサ３５５は、ホストアンテナジンバリング指令をそれぞれ各ホストアンテナ３２０へ送信する（３１２）。各ホストアンテナ３２０のためのジンバリング機構は、その特定のホストアンテナジンバリング指令に従って、その関連するホストアンテナ３２０をジンバル（すなわち、操縦）する。各ホストアンテナ３２０は、その関連するアンテナビーム内のペイロードデータを、地上の少なくとも１つのホスト受信アンテナ３８５へ送信する。
【００７０】
１以上の実施形態では、各顧客アンテナ３２１及び／又は各ホストアンテナ３２０が、反射器、及び反射器をジンバル（すなわち、操縦）するジンバリング機構を備えることに留意されたい。ある実施形態では、各顧客アンテナ３２１及び／又は各ホストアンテナ３２０が、少なくとも２つの反射器（すなわち、主たる反射器及び少なくとも１つの従たる反射器）、及び主たる反射器をジンバル（すなわち、操縦）するジンバリング機構を備える。主たる反射器及び／又は（１以上の）従たる反射器は、放物型反射器又は成形された反射器であり得ることが留意されるべきである。各顧客アンテナ３２１及び／又は各ホストアンテナ３２０が、２つの反射器（すなわち、主たる反射器と１つの従たる反射器）、及び主たる反射器をジンバル（すなわち、操縦）するジンバリング機構を備えた実施形態では、反射器（すなわち、主たる反射器と従たる反射器）が、グレゴリアン反射器アンテナ構成又はカセグレンアンテナ構成内に配置され得る。他の実施形態では、各顧客アンテナ３２１及び／又は各ホストアンテナ３２０が、少なくとも１つの直接放射ホーンアンテナ（例えば、ホーンアンテナのアレイ）、及び（１以上の）直接放射ホーンアンテナをジンバル（すなわち、操縦）するジンバリング機構を備える（例えば、ジンバリング機構は、ホーンを個別にジンバルし、又はジンバリング機構は、プラットフォームをジンバルし、ここで、直接放射ホーンアンテナはプラットフォーム上に設けられている）。
【００７１】
その後、各顧客アンテナ３２１と各ホストアンテナ３２０は、それらのそれぞれのジンバリング機構から（１以上の）プロセッサ３５５へ、アンテナジンバリングテレメトリ（例えば、アンテナがそれに従ってジンバルしたことを示す機械テレメトリ）を送信する（３１３）。その後、（１以上の）プロセッサ３５５は、ジンバリングテレメトリを使用することによって、非暗号化テレメトリを生成する。
【００７２】
その後、（１以上の）プロセッサ３５５は、非暗号化テレメトリを通信セキュリティモジュール３４５へ送信する（３１４）。通信セキュリティーモジュール３４５は、ＣＯＭＳＥＣ種（例えば、ＣＯＭＳＥＣ種１）を使用して、非暗号化テレメトリを暗号化し、暗号化テレメトリを生成する。その後、通信セキュリティモジュール３４５は、暗号化テレメトリをテレメトリ送信器３６５へ送信する（３１５）。他の実施形態では、本開示のシステムが、図３で示されている１つのテレメトリ受信器３６５より多いテレメトリ受信器３６５を採用してもよいことに留意するべきである。
【００７３】
その後、テレメトリ送信器３６５は、暗号化テレメトリを地上アンテナ３３０へ送信する（３１６）。テレメトリ送信器３６５は、（１以上の）帯域外の周波数帯域（すなわち、ペイロードデータを送信するためにアンテナ３２０、３２１によって利用されるのと同じ（１以上の）周波数帯域ではない（１以上の）周波数帯域）を利用して、暗号化テレメトリを送信する（３１６）。
【００７４】
その後、地上アンテナ３３０は、（例えば、仮想プライベートネットワーク（ＶＰＮ）にわたるインターネットプロトコルセキュリティ（ＩＰｓｅｃ）を有する地上波リンクを介して）暗号化テレメトリをＳＯＣのプライマリサーバ３５０へ送信する（３１７）。その後、ＳＯＣのプライマリサーバ３５０は、ＣＯＭＳＥＣ種を使用して、暗号化テレメトリを復号し、非暗号化テレメトリを生成する。その後、ＳＯＣのプライマリサーバ３５０は、ホストアンテナのデコミュテートされた情報を備え、顧客アンテナのデコミュテートされた情報を備えない、データベース（すなわち、顧客アンテナのデコミュテートされた情報がないデータベース）を利用して、非暗号化テレメトリを読み出し、ＳＯＣ３５１（すなわち、ホスト）によって利用される（１以上の）アンテナ３２０に関連するテレメトリデータを決定する。
【００７５】
その後、ＳＯＣのプライマリサーバ３５０は、非暗号化テレメトリをクライアント３６０へ送信する（３１８）。その後、クライアント３６０は、顧客アンテナのデコミュテートされた情報を備え、ホストアンテナのデコミュテートされた情報を備えない、データベース（すなわち、ホストアンテナのデコミュテートされた情報がないデータベース）を利用して、非暗号化テレメトリを読み出し、顧客３７０によって利用される（１以上の）アンテナ３２１に関連するテレメトリデータを決定する。その後、クライアント３６０は、非暗号化テレメトリを使用することによって、各顧客３７０に関連付けられた各アンテナ３２１に対するアンテナポインティング位置（例えば、アンテナビームのボアサイトに対する特定の緯度と経度の位置）を生成する。その後、クライアント３６０は、（例えば、インターネットにわたるウェブブラウザを介して（例えば、仮想プライベートネットワーク（ＶＰＮ）にわたるインターネットプロトコルセキュリティ（ＩＰｓｅｃ）を有する地上波リンクを介して））各顧客３７０に関連付けられた各アンテナ３２１に対するアンテナポインティング位置を、それぞれ、各顧客３７０へ送信する（３１９）。その後、１以上の実施形態では、各顧客３７０に関連付けられた各アンテナ３２１に対するアンテナポインティング位置（例えば、アンテナビームのボアサイトに対する特定の緯度と経度の位置）が、各顧客３７０に関連付けられたコンピュータスクリーン９１０（図９参照）上にそれぞれ表示されることとなる。
【００７６】
図４Ａ、図４Ｂ、図４Ｃ、及び図４Ｄは、併せて、本開示の少なくとも１つの実施形態による、クライアント、ＳＯＣアップリンク、及び暗号化のための単一のＣＯＭＳＥＣ種を利用する、安全なマルチペイロードアンテナオペレータオペレーションのための本開示の方法のフローチャートを示している。該方法の開始４００において、少なくとも１の顧客が、少なくとも１の顧客の各々に関連付けられた少なくとも１つのアンテナの各々に対するアンテナ位置ポインティングリクエストを、クライアントへ送信する（４０５）。その後、クライアントは、少なくとも１つのアンテナの各々に対するアンテナ位置ポインティングリクエストを使用して、非暗号化顧客指令を生成する（４１０）。その後、クライアントは、非暗号化顧客指令を人工衛星オペレーションセンター（ＳＯＣ）のプライマリサーバへ送信する（４１５）。その後、ＳＯＣのプライマリサーバは、通信セキュリティ（ＣＯＭＳＥＣ）種を利用して、非暗号化顧客指令を暗号化し、暗号化顧客指令を生成する（４２０）。更に、ＳＯＣのプライマリサーバは、ＣＯＭＳＥＣ種を利用して、非暗号化ＳＯＣ指令を暗号化し、暗号化ＳＯＣ指令を生成する（４２５）。ここで、非暗号化ＳＯＣ指令は、ホストに関連付けられた少なくとも１つのアンテナに関連する。その後、ＳＯＣは、暗号化顧客指令と暗号化ＳＯＣ指令を地上アンテナへ送信する（４３０）。その後、地上アンテナは、暗号化顧客指令と暗号化ＳＯＣ指令を、輸送体上の少なくとも１つの指令受信器へ送信する（４３５）。
【００７７】
その後、輸送体上の少なくとも１つの指令受信器は、暗号化顧客指令と暗号化ＳＯＣ指令を、輸送体上の通信セキュリティモジュールへ送信する（４４０）。その後、輸送体上の通信セキュリティモジュールは、ＣＯＭＳＥＣ種を利用して、暗号化顧客指令を復号し、非暗号化顧客指令を生成する（４４５）。更に、輸送体上の通信セキュリティモジュールは、ＣＯＭＳＥＣ種を利用して、暗号化ＳＯＣ指令を復号し、非暗号化ＳＯＣ指令を生成する（４５０）。その後、輸送体上の通信セキュリティモジュールは、非暗号化顧客指令と非暗号化ＳＯＣ指令を、輸送体上の少なくとも１つのプロセッサへ送信する（４５５）。その後、少なくとも１つのプロセッサは、非暗号化顧客指令を使用することによって、少なくとも１の顧客の各々に関連付けられた各それぞれの少なくとも１つのアンテナに対する顧客アンテナジンバリング指令を生成する（４６０）。更に、少なくとも１つのプロセッサは、非暗号化ＳＯＣ指令を使用することによって、ホストに関連付けられた各それぞれの少なくとも１つのアンテナに対するホストアンテナジンバリング指令を生成する（４６５）。その後、少なくとも１つのプロセッサは、顧客アンテナジンバリング指令を、それぞれ、少なくとも１の顧客の各々に関連付けられた少なくとも１つのアンテナの各々へ送信する（４７０）。更に、少なくとも１つのプロセッサは、ホストアンテナジンバリング指令を、それぞれ、ホストに関連付けられた少なくとも１つのアンテナの各々へ送信する（４７５）。その後、少なくとも１の顧客の各々に関連付けられた少なくとも１つのアンテナの各々が、それぞれ、顧客アンテナジンバリング指令を使用することによってジンバルされる（４８０）。更に、ホストに関連付けられた少なくとも１つのアンテナの各々が、それぞれ、ホストジンバリング指令を使用してジンバルされる（４８１）。
【００７８】
その後、少なくとも１の顧客の各々に関連付けられた少なくとも１つのアンテナの各々とホストに関連付けられた少なくとも１つのアンテナの各々が、アンテナジンバリングテレメトリを少なくとも１つのプロセッサへ送信する（４８２）。その後、少なくとも１つのプロセッサは、アンテナジンバリングテレメトリを使用することによって、非暗号化テレメトリを生成する（４８３）。その後、少なくとも１つのプロセッサは、非暗号化テレメトリを通信セキュリティモジュールへ送信する（４８４）。その後、通信セキュリティモジュールは、ＣＯＭＳＥＣ種を使用して、非暗号化テレメトリを暗号化し、暗号化テレメトリを生成する（４８５）。その後、通信セキュリティモジュールは、暗号化テレメトリを少なくとも１つのテレメトリ送信器へ送信する（４８６）。その後、少なくとも１つのテレメトリ送信器は、暗号化テレメトリを地上アンテナへ送信する（４８７）。
【００７９】
その後、地上アンテナは、暗号化テレメトリをＳＯＣのプライマリサーバへ送信する（４８８）。その後、ＳＯＣのプライマリサーバは、ＣＯＭＳＥＣ種を利用して、暗号化テレメトリを復号し、非暗号化テレメトリを生成する（４８９）。その後、ＳＯＣのプライマリサーバは、非暗号化テレメトリをクライアントへ送信する（４９０）。その後、クライアントは、非暗号化テレメトリを使用することによって、少なくとも１の顧客の各々に関連付けられた少なくとも１つのアンテナの各々に対するアンテナポインティング位置を生成する（４９１）。その後、クライアントは、少なくとも１の顧客の各々に関連付けられた少なくとも１つのアンテナの各々に対するアンテナポインティング位置を、それぞれ、少なくとも１の顧客の各々へ送信する（４９２）。その後、方法は終了する（４９３）。
【００８０】
図５は、本開示の少なくとも１つの実施形態による、ＡＯＣ５６０アップリンク５０８、ＳＯＣ５５０、及び暗号化のための２つのＣＯＭＳＥＣ種（例えば、ＣＯＭＳＥＣ種１とＣＯＭＳＥＣ種２）を利用する、安全なマルチペイロードアンテナオペレータオペレーションを示す図５００である。この図では、輸送体５１０、人工衛星オペレーションセンター（ＳＯＣ）５５０、アンテナオペレーションセンター（ＡＯＣ）５６０、及び複数の顧客５７０（すなわち、ｎ個の顧客、ここで、ｎは１以上である）が示されている。顧客５７０は、各々、輸送体５１０上の少なくとも１つのアンテナ５２１を、人工衛星の所有者（すなわち、ＳＯＣ５５０（すなわち、ホスト））からリースしている。ある実施形態では、顧客５７０が、輸送体５１０上のアンテナ５２０、５２１の全てを、人工衛星の所有者（すなわち、ＳＯＣ５５０）からリースし得ることに留意されたい。これらの実施形態では、以下でより詳細に説明されることとなるＳＯＣ指令が、単に非動作指令であるか又は存在しない。
【００８１】
飛行輸送体を含む様々な異なるタイプの輸送体５１０が、輸送体５１０に対して採用され得るが、それらに限定されるものではない。また、人工衛星、航空機、無人航空機（ＵＡＶ）、及び宇宙飛行機を含む様々な異なるタイプの飛行輸送体が、輸送体５１０に対して採用され得るが、それらに限定されるものではない。更に、静止地球軌道（ＧＥＯ）衛星、中間地球軌道（ＭＥＯ）、低軌道（ＬＥＯ）、及び高度な楕円軌道（ＨＥＯ）衛星を含む様々な異なるタイプの人工衛星が、輸送体５１０に対して採用され得るが、それらに限定されるものではない。
【００８２】
動作中に、各顧客５７０は、顧客５７０に関連付けられた各アンテナ５２１に対するアンテナポインティングリクエストを生成する。例えば、顧客＃１５７０は、輸送体５１０上の顧客＃１に割り当てられたアンテナ５２１に対するアンテナポインティングリクエストを生成する。顧客５７０がアンテナポインティングリクエストを生成する様々な異なるやり方が存在し得る。１以上の実施形態では、顧客５７０が、（例えば、顧客５７０の遠隔位置における）グラフィカルユーザインターフェース（ＧＵＩ）を利用して、顧客がリースしている輸送体５１０上の各アンテナに対するアンテナビームのボアサイトに対する特定の緯度及び経度の位置を選択（又は入力）する。採用され得るＧＵＩの一例が、図９で示されている。図９におけるＧＵＩの詳細に関する説明は、前述の説明に含まれ得る。
【００８３】
各顧客５７０が、その顧客５７０に関連付けられた各アンテナ５２１に対してアンテナポインティングリクエスト（例えば、アンテナビームのボアサイトに対する特定の緯度及び経度の位置）を生成した後で、各顧客５７０は、（例えば、インターネットにわたるウェブブラウザを介して（例えば、仮想プライベートネットワーク（ＶＰＮ）にわたるインターネットプロトコルセキュリティ（ＩＰｓｅｃ）を有する地上波リンクを介して））彼らのアンテナポインティングリクエストをＡＯＣ５６０へ送信する（５０５）。１以上の実施形態では、アンテナポインティングリクエストが、暗号化なしに送信される（５０５）。しかし、他の実施形態では、顧客５７０とＡＯＣ５６０との間で利用されるポイントトゥポイント（point-to-point）暗号化が存在し得る。
【００８４】
ＡＯＣ５６０が、顧客５７０からアンテナポインティングリクエストを受信した後で、ＡＯＣ５６０は、アンテナポインティングリクエストを使用して、非暗号化ＡＯＣ指令を生成する。非暗号化ＡＯＣ指令は、それらのそれぞれのアンテナポインティングリクエストに従って、顧客５７０に関連付けられた各アンテナ５２１のためのジンバリング機構に指示命令するように使用される指令である。例えば、顧客＃１５７０が、顧客＃１に割り当てられたアンテナ５２１のアンテナビームの緯度及び経度がドイツのベルリンを指すように、顧客＃１に割り当てられたアンテナ５２１がジンバルされるべきであると特定し、現在、顧客＃１に割り当てられたアンテナ５２１のアンテナビームの緯度及び経度が、イギリスのロンドンにあるならば、非暗号化ＡＯＣ指令は、輸送体５１０上のジンバリング機構（例えば、ステッパモータ）が、それに従って顧客＃１に割り当てられたアンテナ５２１を（例えば、方位角において１０ステップ及び高度において１ステップだけ）ジンバル（すなわち、操縦）すると明記することとなる。
【００８５】
ＡＯＣ５６０が非暗号化ＡＯＣ指令を生成した後で、ＡＯＣ５６０は、第２の通信セキュリティ（ＣＯＭＳＥＣ）種（例えば、ＣＯＭＳＥＣ種２）を利用して、非暗号化ＡＯＣ指令を暗号化し、暗号化ＡＯＣ指令を生成する。第２のＣＯＭＳＥＣ種は、少なくとも１つの暗号キー及び／又は少なくとも１つのアルゴリズム（例えば、タイプ１の暗号化アルゴリズム又はタイプ２の暗号化アルゴリズム）を含み得ることが留意されるべきである。
【００８６】
更に、ＳＯＣ５５０は、第１のＣＯＭＳＥＣ種（例えば、ＣＯＭＳＥＣ種１）を使用して、非暗号化ＳＯＣ指令を暗号化し、暗号化ＳＯＣ指令を生成する。非暗号化ＳＯＣ指令は、ホストのそれぞれのアンテナポインティングリクエストに従って、ホスト（すなわち、ＳＯＣ５５０）に関連付けられた各アンテナ５２０のためのジンバリング機構に指示命令するように使用される指令であることが留意されるべきである。非暗号化ＡＯＣ指令に類似して、非暗号化ＳＯＣ指令は、輸送体５１０上のジンバリング機構（例えば、ステッパモータ）が、それに従って各ホストに割り当てられたアンテナ５２０をジンバル（すなわち、操縦）すると明記することとなる。
【００８７】
その後、ＳＯＣ５５０は、（例えば、仮想プライベートネットワーク（ＶＰＮ）にわたるインターネットプロトコルセキュリティ（ＩＰｓｅｃ）を有する地上波リンクを介して）暗号化ＳＯＣ指令をＡＯＣ５６０へ送信する（５０６）こととなる。その後、ＡＯＣ５６０は、（例えば、仮想プライベートネットワーク（ＶＰＮ）にわたるインターネットプロトコルセキュリティ（ＩＰｓｅｃ）を有する地上波リンクを介して）暗号化ＡＯＣ指令と暗号化ＳＯＣ指令を地上アンテナ５３０へ送信する（５０７）こととなる。図５では、ＡＯＣ５６０が地上アンテナ５３０から離れて位置するように描かれているが、ある実施形態では、地上アンテナ５３０が、ＡＯＣ５６０のすぐ隣に位置してもよいことに留意するべきである。
【００８８】
その後、地上アンテナ５３０は、暗号化ＡＯＣ指令と暗号化ＳＯＣ指令を輸送体５１０へ送信する（５０８）。地上アンテナ５３０は、（１以上の）帯域外の周波数帯域（すなわち、ペイロードデータを送信するためにアンテナ５２０、５２１によって利用されるのと同じ（１以上の）周波数帯域ではない（１以上の）周波数帯域）を利用して、暗号化ＡＯＣ指令と暗号化ＳＯＣ指令を送信する（５０８）。輸送体５１０上の指令受信器５４０は、暗号化ＡＯＣ指令と暗号化ＳＯＣ指令を受信する。他の実施形態では、本開示のシステムが、図５で示されている１つの指令受信器５４０より多い指令受信器５４０を採用してもよいことに留意するべきである。
【００８９】
その後、指令受信器５４０は、暗号化ＡＯＣ指令を第２の通信セキュリティモジュール５４６へ送信する（５０９）。第２の通信セキュリティモジュール５４６は、第２のＣＯＭＳＥＣ種を利用して、暗号化ＡＯＣ指令を復号し、非暗号化ＡＯＣ指令を生成する。第２の通信セキュリティモジュール５４６が、１以上のモジュールを備え得ることに留意するべきである。更に、第２の通信セキュリティモジュール５４６は、１以上のプロセッサ備え得る。
【００９０】
更に、指令受信器５４０は、暗号化ＳＯＣ指令を第１の通信セキュリティモジュール５４５へ送信する（５２２）。第１の通信セキュリティモジュール５４５は、第１のＣＯＭＳＥＣ種を利用して、暗号化ＳＯＣ指令を復号し、非暗号化ＳＯＣ指令を生成する。第１の通信セキュリティモジュール５４５が、１以上のモジュールを備え得ることに留意するべきである。更に、第１の通信セキュリティモジュール５４５は、１以上のプロセッサを備え得る。
【００９１】
その後、第２の通信セキュリティモジュール５４６は、非暗号化ＡＯＣ指令を少なくとも１つのプロセッサ５５５へ送信する（５０１）。その後、更に、第１の通信セキュリティモジュール５４５は、非暗号化ＳＯＣ指令をプロセッサ５５５へ送信する（５１１）。
【００９２】
その後、（１以上の）プロセッサ５５５は、非暗号化ＡＯＣ指令を使用することによって、各顧客アンテナ５２１に対する顧客アンテナジンバリング指令（例えば、各アンテナのためのジンバリング機構のステッパモータに対する機械指令）を生成する。更に、（１以上の）プロセッサ５５５は、非暗号化ＳＯＣ指令を使用することによって、各ホストアンテナ５２０に対するホストアンテナジンバリング指令（例えば、各アンテナのためのジンバリング機構のステッパモータに対する機械指令）を生成する。
【００９３】
その後、（１以上の）プロセッサ５５５は、顧客アンテナジンバリング指令をそれぞれ各顧客アンテナ５２１へ送信する（５１２）。各顧客アンテナ５２１のためのジンバリング機構は、その特定の顧客アンテナジンバリング指令に従って、その関連する顧客アンテナ５２１をジンバル（すなわち、操縦）する。各顧客アンテナ５２１は、その関連するアンテナビーム内のペイロードデータを、地上の少なくとも１の顧客受信アンテナ５９０へ送信する。
【００９４】
更に、（１以上の）プロセッサ５５５は、ホストアンテナジンバリング指令をそれぞれ各ホストアンテナ５２０へ送信する（５１２）。各ホストアンテナ５２０のためのジンバリング機構は、その特定のホストアンテナジンバリング指令に従って、その関連するホストアンテナ５２０をジンバル（すなわち、操縦）する。各ホストアンテナ５２０は、その関連するアンテナビーム内のペイロードデータを、地上の少なくとも１つのホスト受信アンテナ５８５へ送信する。
【００９５】
１以上の実施形態では、各顧客アンテナ５２１及び／又は各ホストアンテナ５２０が、反射器、及び反射器をジンバル（すなわち、操縦）するジンバリング機構を備えることに留意されたい。ある実施形態では、各顧客アンテナ５２１及び／又は各ホストアンテナ５２０が、少なくとも２つの反射器（すなわち、主たる反射器及び少なくとも１つの従たる反射器）、及び主たる反射器をジンバル（すなわち、操縦）するジンバリング機構を備える。主たる反射器及び／又は（１以上の）従たる反射器は、放物型反射器又は成形された反射器であり得ることが留意されるべきである。各顧客アンテナ５２１及び／又は各ホストアンテナ５２０が、２つの反射器（すなわち、主たる反射器と１つの従たる反射器）、及び主たる反射器をジンバル（すなわち、操縦）するジンバリング機構を備えた実施形態では、反射器（すなわち、主たる反射器と従たる反射器）が、グレゴリアン反射器アンテナ構成又はカセグレンアンテナ構成内に配置され得る。他の実施形態では、各顧客アンテナ５２１及び／又は各ホストアンテナ５２０が、少なくとも１つの直接放射ホーンアンテナ（例えば、ホーンアンテナのアレイ）、及び（１以上の）直接放射ホーンアンテナをジンバル（すなわち、操縦）するジンバリング機構を備える（例えば、ジンバリング機構は、ホーンを個別にジンバルし、又はジンバリング機構は、プラットフォームをジンバルし、ここで、直接放射ホーンアンテナはプラットフォーム上に設けられている）。
【００９６】
その後、各顧客アンテナ５２１と各ホストアンテナ５２０は、それらのそれぞれのジンバリング機構から（１以上の）プロセッサ５５５へ、アンテナジンバリングテレメトリ（例えば、アンテナがそれに従ってジンバルされたことを示す機械テレメトリ）を送信する（５１３）。その後、（１以上の）プロセッサ５５５は、ジンバリングテレメトリを使用することによって、非暗号化テレメトリを生成する。
【００９７】
その後、（１以上の）プロセッサ５５５は、非暗号化テレメトリを第２の通信セキュリティモジュール５４６へ送信する（５１４）。第２の通信セキュリティモジュール５４６は、第２のＣＯＭＳＥＣ種（例えば、ＣＯＭＳＥＣ種２）を使用して、非暗号化テレメトリを暗号化し、暗号化テレメトリを生成する。その後、第２の通信セキュリティモジュール５４６は、暗号化テレメトリをテレメトリ送信器５６５へ送信する（５１５）。他の実施形態では、本開示のシステムが、図５で示されている１つのテレメトリ受信器５６５より多いテレメトリ受信器５６５を採用してもよいことに留意するべきである。
【００９８】
その後、テレメトリ送信器５６５は、暗号化テレメトリを地上アンテナ５３０へ送信する（５１６）。テレメトリ送信器５６５は、（１以上の）帯域外の周波数帯域（すなわち、ペイロードデータを送信するためにアンテナ５２０、５２１によって利用されるのと同じ（１以上の）周波数帯域ではない（１以上の）周波数帯域）を利用して、暗号化テレメトリを送信する（５１６）。
【００９９】
その後、地上アンテナ５３０は、（例えば、仮想プライベートネットワーク（ＶＰＮ）にわたるインターネットプロトコルセキュリティ（ＩＰｓｅｃ）を有する地上波リンクを介して）暗号化テレメトリをＡＯＣ５６０へ送信する（５１７）。その後、ＡＯＣ５６０は、第２のＣＯＭＳＥＣ種を使用して、暗号化テレメトリを復号し、非暗号化テレメトリを生成する。その後、ＡＯＣ５６０は、顧客アンテナのデコミュテートされた情報を備え、ホストアンテナのデコミュテートされた情報を備えない、データベース（すなわち、ホストアンテナのデコミュテートされた情報がないデータベース）を利用して、非暗号化テレメトリを読み出し、顧客５７０によって利用される（１以上の）アンテナ５２１に関連するテレメトリデータを決定する。その後、ＡＯＣ５６０は、非暗号化テレメトリを使用することによって、各顧客５７０に関連付けられた各アンテナ５２１に対するアンテナポインティング位置（例えば、アンテナビームのボアサイトに対する特定の緯度と経度の位置）を生成する。その後、ＡＯＣ５６０は、（例えば、インターネットにわたるウェブブラウザを介して（例えば、仮想プライベートネットワーク（ＶＰＮ）にわたるインターネットプロトコルセキュリティ（ＩＰｓｅｃ）を有する地上波リンクを介して））各顧客５７０に関連付けられた各アンテナ５２１に対するアンテナポインティング位置を、それぞれ、各顧客５７０へ送信する（５１９）。その後、１以上の実施形態では、各顧客５７０に関連付けられた各アンテナ５２１に対するアンテナポインティング位置（例えば、アンテナビームのボアサイトに対する特定の緯度と経度の位置）が、各顧客５７０に関連付けられたコンピュータスクリーン９１０（図９参照）上にそれぞれ表示されることとなる。
【０１００】
ＡＯＣ５６０は、非暗号化テレメトリから、顧客５７０によって利用される（１以上の）アンテナ５２１に関連するテレメトリデータの全てを除去することによって、ＳＯＣテレメトリ（すなわち、ＳＯＣ５５０（すなわち、ホスト）によって利用される（１以上の）アンテナ５２０に関連するテレメトリデータ）を生成する。その後、ＡＯＣ５６０は、（例えば、仮想プライベートネットワーク（ＶＰＮ）にわたるインターネットプロトコルセキュリティ（ＩＰｓｅｃ）を有する地上波リンクを介して）ＳＯＣテレメトリをＳＯＣ５５０へ送信する（５１８）。
【０１０１】
図６Ａ、図６Ｂ、図６Ｃ、及び図６Ｄは、併せて、本開示の少なくとも１つの実施形態による、ＡＯＣアップリンク、ＳＯＣ、及び暗号化のための２つのＣＯＭＳＥＣ種を利用する、安全なマルチペイロードアンテナオペレータオペレーションのための本開示の方法のフローチャートを示している。該方法の開始６００において、少なくとも１の顧客が、少なくとも１の顧客の各々に関連付けられた少なくとも１つのアンテナの各々に対するアンテナ位置ポインティングリクエストを、アンテナオペレーションセンター（ＡＯＣ）へ送信する（６０５）。その後、ＡＯＣは、少なくとも１つのアンテナの各々に対するアンテナ位置ポインティングリクエストを使用して、非暗号化ＡＯＣ指令を生成する（６１０）。その後、ＡＯＣは、第２の通信セキュリティ（ＣＯＭＳＥＣ）種を利用して、非暗号化ＡＯＣ指令を暗号化し、暗号化ＡＯＣ指令を生成する（６１５）。更に、人工衛星オペレーションセンター（ＳＯＣ）は、第１のＣＯＭＳＥＣ種を利用して、非暗号化ＳＯＣ指令を暗号化し、暗号化ＳＯＣ指令を生成する（６２０）。ここで、非暗号化ＳＯＣ指令は、ホスト６２０に関連付けられた少なくとも１つのアンテナに関連する。その後、ＳＯＣは、暗号化ＳＯＣ指令をＡＯＣへ送信する（６２５）。その後、ＡＯＣは、暗号化ＡＯＣ指令と暗号化ＳＯＣ指令を地上アンテナへ送信する（６３０）。その後、地上アンテナは、暗号化ＡＯＣ指令と暗号化ＳＯＣ指令を、輸送体６３５上の少なくとも１つの指令受信器へ送信する（６３５）。
【０１０２】
その後、輸送体上の少なくとも１つの指令受信器は、暗号化ＳＯＣ指令を、輸送体上の第１の通信セキュリティモジュールへ送信する（６４０）。その後、輸送体上の第１の通信セキュリティモジュールは、第１のＣＯＭＳＥＣ種を利用して、暗号化ＳＯＣ指令を復号し、非暗号化ＳＯＣ指令を生成する（６４５）。その後、輸送体上の第１の通信セキュリティモジュールは、非暗号化ＳＯＣ指令を、輸送体上の少なくとも１つのプロセッサへ送信する（６５０）。
【０１０３】
更に、輸送体上の少なくとも１つの指令受信器は、暗号化ＡＯＣ指令を、輸送体上の第２の通信セキュリティモジュールへ送信する（６５５）。その後、輸送体上の第２の通信セキュリティモジュールは、第２のＣＯＭＳＥＣ種を利用して、暗号化ＡＯＣ指令を復号し、非暗号化ＡＯＣ指令を生成する（６６０）。その後、輸送体上の第２の通信セキュリティモジュールは、非暗号化ＡＯＣ指令を、輸送体上の少なくとも１つのプロセッサへ送信する（６６５）。その後、少なくとも１つのプロセッサは、非暗号化ＡＯＣ指令を使用することによって、少なくとも１の顧客の各々に関連付けられた各それぞれの少なくとも１つのアンテナに対する顧客アンテナジンバリング指令を生成する（６７０）。更に、少なくとも１つのプロセッサは、非暗号化ＳＯＣ指令を使用することによって、ホストに関連付けられた各それぞれの少なくとも１つのアンテナに対するホストアンテナジンバリング指令を生成する（６７５）。その後、少なくとも１つのプロセッサは、顧客アンテナジンバリング指令を、それぞれ、少なくとも１の顧客の各々に関連付けられた少なくとも１つのアンテナの各々へ送信する（６８０）。更に、少なくとも１つのプロセッサは、ホストアンテナジンバリング指令を、それぞれ、ホストに関連付けられた少なくとも１つのアンテナの各々へ送信する（６８１）。その後、少なくとも１の顧客の各々に関連付けられた少なくとも１つのアンテナの各々が、それぞれ、顧客アンテナジンバリング指令を使用することによってジンバルされる（６８２）。更に、ホストに関連付けられた少なくとも１つのアンテナの各々が、それぞれ、ホストジンバリング指令を使用してジンバルされる（６８３）。
【０１０４】
その後、少なくとも１の顧客の各々に関連付けられた少なくとも１つのアンテナの各々とホストに関連付けられた少なくとも１つのアンテナの各々が、アンテナジンバリングテレメトリを少なくとも１つのプロセッサへ送信する（６８４）。その後、少なくとも１つのプロセッサは、アンテナジンバリングテレメトリを使用することによって、非暗号化テレメトリを生成する（６８５）。その後、少なくとも１つのプロセッサは、非暗号化テレメトリを第２の通信セキュリティモジュールへ送信する（６８６）。その後、第２の通信セキュリティモジュールは、第２のＣＯＭＳＥＣ種を使用して、非暗号化テレメトリを暗号化し、暗号化テレメトリを生成する（６８７）。その後、第２の通信セキュリティモジュールは、暗号化テレメトリを少なくとも１つのテレメトリ送信器へ送信する（６８８）。その後、少なくとも１つのテレメトリ送信器は、暗号化テレメトリを地上アンテナへ送信する（６８９）。
【０１０５】
その後、地上アンテナは、暗号化テレメトリをＡＯＣへ送信する（６９０）。その後、ＡＯＣは、第２のＣＯＭＳＥＣ種を使用して、暗号化テレメトリを復号し、非暗号化テレメトリを生成する（６９１）。その後、ＡＯＣは、非暗号化テレメトリを使用することによって、少なくとも１の顧客の各々に関連付けられた少なくとも１つのアンテナの各々に対するアンテナポインティング位置テレメトリを生成する（６９２）。その後、ＡＯＣは、少なくとも１の顧客の各々に関連付けられた少なくとも１つのアンテナの各々に対するアンテナポインティング位置テレメトリを、それぞれ、少なくとも１の顧客の各々へ送信する（６９３）。その後、ＡＯＣは、非暗号化テレメトリを使用することによって、ＳＯＣテレメトリを生成する。その後、ＡＯＣは、ＳＯＣテレメトリをＳＯＣへ送信する（６９５）。その後、方法は終了する（６９６）。
【０１０６】
図７は、本開示の少なくとも１つの実施形態による、ＳＯＣ７５０アップリンク７０８、及び暗号化のための単一のＣＯＭＳＥＣ種（例えば、ＣＯＭＳＥＣ種１）を利用する、安全なマルチペイロードアンテナオペレータオペレーションのための本開示のシステムを示す図７００である。この図では、輸送体７１０、人工衛星オペレーションセンター（ＳＯＣ）７５０、及び複数の顧客７７０（すなわち、ｎ個の顧客、ここで、ｎは１以上である）が示されている。顧客７７０は、各々、輸送体７１０上の少なくとも１つのアンテナ７２１を、人工衛星の所有者（すなわち、ＳＯＣ７５０（すなわち、ホスト））からリースしている。ある実施形態では、顧客７７０が、輸送体７１０上のアンテナ７２０、７２１の全てを、人工衛星の所有者（すなわち、ＳＯＣ７５０）からリースし得ることに留意されたい。これらの実施形態では、以下でより詳細に説明されることとなるＳＯＣ指令が、単に非動作指令であるか又は存在しない。
【０１０７】
飛行輸送体を含む様々な異なるタイプの輸送体７１０が、輸送体７１０に対して採用され得るが、それらに限定されるものではない。また、人工衛星、航空機、無人航空機（ＵＡＶ）、及び宇宙飛行機を含む様々な異なるタイプの飛行輸送体が、輸送体７１０に対して採用され得るが、それらに限定されるものではない。更に、静止地球軌道（ＧＥＯ）衛星、中間地球軌道（ＭＥＯ）、低軌道（ＬＥＯ）、及び高度な楕円軌道（ＨＥＯ）衛星を含む様々な異なるタイプの人工衛星が、輸送体７１０に対して採用され得るが、それらに限定されるものではない。
【０１０８】
動作中に、各顧客７７０は、顧客７７０に関連付けられた各アンテナ７２１に対するアンテナポインティングリクエストを生成する。例えば、顧客＃１７７０は、輸送体７１０上の顧客＃１に割り当てられたアンテナ７２１に対するアンテナポインティングリクエストを生成する。顧客７７０がアンテナポインティングリクエストを生成する様々な異なるやり方が存在し得る。１以上の実施形態では、顧客７７０が、（例えば、顧客７７０の遠隔位置における）グラフィカルユーザインターフェース（ＧＵＩ）を利用して、顧客がリースしている輸送体７１０上の各アンテナに対するアンテナビームのボアサイトに対する特定の緯度及び経度の位置を選択（又は入力）する。採用され得るＧＵＩの一例が、図９で示されている。図９におけるＧＵＩの詳細に関する説明は、前述の説明に含まれ得る。
【０１０９】
各顧客７７０が、その顧客７７０に関連付けられた各アンテナ７２１に対してアンテナポインティングリクエスト（例えば、アンテナビームのボアサイトに対する特定の緯度及び経度の位置）を生成した後で、各顧客７７０は、（例えば、インターネットにわたるウェブブラウザを介して（例えば、仮想プライベートネットワーク（ＶＰＮ）にわたるインターネットプロトコルセキュリティ（ＩＰｓｅｃ）を有する地上波リンクを介して））彼らのアンテナポインティングリクエストをＳＯＣ７５０の安全な部分へ送信する（７０５）。１以上の実施形態では、アンテナポインティングリクエストが、暗号化なしに送信される（７０５）。しかし、他の実施形態では、顧客７７０とＳＯＣ７５０との間で利用されるポイントトゥポイント（point-to-point）暗号化が存在し得る。
【０１１０】
ＳＯＣ７５０が、顧客７７０からアンテナポインティングリクエストを受信した後で、ＳＯＣ７５０の安全な部分において、ＳＯＣ７５０は、アンテナポインティングリクエストを使用して、非暗号化顧客指令を生成する。非暗号化顧客指令は、それらのそれぞれのアンテナポインティングリクエストに従って、顧客７７０に関連付けられた各アンテナ７２１のためのジンバリング機構に指示命令するように使用される指令である。例えば、顧客＃１７７０が、顧客＃１に割り当てられたアンテナ７２１のアンテナビームの緯度及び経度がドイツのベルリンを指すように、顧客＃１に割り当てられたアンテナ７２１がジンバルされるべきであると特定し、現在、顧客＃１に割り当てられたアンテナ７２１のアンテナビームの緯度及び経度が、イギリスのロンドンにあるならば、非暗号化顧客指令は、輸送体７１０上のジンバリング機構（例えば、ステッパモータ）が、それに従って顧客＃１に割り当てられたアンテナ７２１を（例えば、方位角において１０ステップ及び高度において１ステップだけ）ジンバル（すなわち、操縦）すると明記することとなる。
【０１１１】
ＳＯＣ７５０が、非暗号化顧客指令を生成した後で、ＳＯＣ７５０の安全な部分において、ＳＯＣ７５０は、通信セキュリティ（ＣＯＭＳＥＣ）種を利用して、非暗号化顧客指令を暗号化し、暗号化顧客指令を生成する。ＣＯＭＳＥＣ種は、少なくとも１つの暗号キー及び／又は少なくとも１つのアルゴリズム（例えば、タイプ１の暗号化アルゴリズム又はタイプ２の暗号化アルゴリズム）を含み得ることが留意されるべきである。
【０１１２】
更に、ＳＯＣ７５０は、ＣＯＭＳＥＣ種を使用して、非暗号化ＳＯＣ指令を暗号化し、暗号化ＳＯＣ指令を生成する。非暗号化ＳＯＣ指令は、ホストのそれぞれのアンテナポインティングリクエストに従って、ホスト（すなわち、ＳＯＣ７５０）に関連付けられた各アンテナ７２０のためのジンバリング機構に指示命令するように使用される指令であることが留意されるべきである。非暗号化顧客指令に類似して、非暗号化ＳＯＣ指令は、輸送体７１０上のジンバリング機構（例えば、ステッパモータ）が、それに従って各ホストに割り当てられたアンテナ７２０をジンバル（すなわち、操縦）すると明記することとなる。
【０１１３】
その後、ＳＯＣ７５０は、（例えば、仮想プライベートネットワーク（ＶＰＮ）にわたるインターネットプロトコルセキュリティ（ＩＰｓｅｃ）を有する地上波リンクを介して）暗号化顧客指令と暗号化ＳＯＣ指令を地上アンテナ７３０へ送信する（７０７）こととなる。図７では、ＳＯＣ７５０が地上アンテナ７３０から離れて位置するように描かれているが、ある実施形態では、地上アンテナ７３０が、ＳＯＣ７５０のすぐ隣に位置してもよいことが留意されるべきである。
【０１１４】
その後、地上アンテナ７３０は、暗号化顧客指令と暗号化ＳＯＣ指令を輸送体７１０へ送信する（７０８）。地上アンテナ７３０は、（１以上の）帯域外の周波数帯域（すなわち、ペイロードデータを送信するためにアンテナ７２０、７２１によって利用されるのと同じ（１以上の）周波数帯域ではない（１以上の）周波数帯域）を利用して、暗号化顧客指令と暗号化ＳＯＣ指令を送信する（７０８）。輸送体７１０上の指令受信器７４０は、暗号化顧客指令と暗号化ＳＯＣ指令を受信する。他の実施形態では、本開示のシステムが、図７で示されている１つの指令受信器７４０より多い指令受信器７４０を採用してもよいことに留意するべきである。
【０１１５】
その後、指令受信器７４０は、暗号化顧客指令と暗号化ＳＯＣ指令を通信セキュリティモジュール７４５へ送信する（７０９）。通信セキュリティモジュール７４５は、ＣＯＭＳＥＣ種を利用して、暗号化顧客指令を復号し、非暗号化顧客指令を生成する。更に、通信セキュリティモジュール７４５は、ＣＯＭＳＥＣ種（例えば、ＣＯＭＳＥＣ種１）を利用して、暗号化ＳＯＣ指令を復号し、非暗号化ＳＯＣ指令を生成する。
【０１１６】
通信セキュリティモジュール７４５は、１以上のモジュールを備えてもよいことが留意されるべきである。更に、通信セキュリティモジュール７４５は、１以上のプロセッサを備えてもよい。
【０１１７】
その後、通信セキュリティモジュール７４５は、非暗号化顧客指令と非暗号化ＳＯＣ指令を少なくとも１つのプロセッサ７５５へ送信する（７０１）。その後、（１以上の）プロセッサ７５５は、非暗号化顧客指令を使用することによって、各顧客アンテナ７２１に対する顧客アンテナジンバリング指令（例えば、各アンテナのためのジンバリング機構のステッパモータに対する機械指令）を生成する。更に、（１以上の）プロセッサ７５５は、非暗号化ＳＯＣ指令を使用することによって、各ホストアンテナ７２０に対するホストアンテナジンバリング指令（例えば、各アンテナのためのジンバリング機構のステッパモータに対する機械指令）を生成する。
【０１１８】
その後、（１以上の）プロセッサ７５５は、顧客アンテナジンバリング指令をそれぞれ各顧客アンテナ７２１へ送信する（７１２）。各顧客アンテナ７２１のためのジンバリング機構は、その特定の顧客アンテナジンバリング指令に従って、その関連する顧客アンテナ７２１をジンバル（すなわち、操縦）する。各顧客アンテナ７２１は、その関連するアンテナビーム内のペイロードデータを、地上の少なくとも１の顧客受信アンテナ７９０へ送信する。
【０１１９】
更に、（１以上の）プロセッサ７５５は、ホストアンテナジンバリング指令をそれぞれ各ホストアンテナ７２０へ送信する（７１２）。各ホストアンテナ７２０のためのジンバリング機構は、その特定のホストアンテナジンバリング指令に従って、その関連するホストアンテナ７２０をジンバル（すなわち、操縦）する。各ホストアンテナ７２０は、その関連するアンテナビーム内のペイロードデータを、地上の少なくとも１つのホスト受信アンテナ７８５へ送信する。
【０１２０】
１以上の実施形態では、各顧客アンテナ７２１及び／又は各ホストアンテナ７２０が、反射器、及び反射器をジンバル（すなわち、操縦）するジンバリング機構を備えることに留意されたい。ある実施形態では、各顧客アンテナ７２１及び／又は各ホストアンテナ７２０が、少なくとも２つの反射器（すなわち、主たる反射器及び少なくとも１つの従たる反射器）、及び主たる反射器をジンバル（すなわち、操縦）するジンバリング機構を備える。主たる反射器及び／又は（１以上の）従たる反射器は、放物型反射器又は成形された反射器であり得ることが留意されるべきである。各顧客アンテナ７２１及び／又は各ホストアンテナ７２０が、２つの反射器（すなわち、主たる反射器と１つの従たる反射器）、及び主たる反射器をジンバル（すなわち、操縦）するジンバリング機構を備えた実施形態では、反射器（すなわち、主たる反射器と従たる反射器）が、グレゴリアン反射器アンテナ構成又はカセグレンアンテナ構成内に配置され得る。他の実施形態では、各顧客アンテナ７２１及び／又は各ホストアンテナ７２０が、少なくとも１つの直接放射ホーンアンテナ（例えば、ホーンアンテナのアレイ）、及び（１以上の）直接放射ホーンアンテナをジンバル（すなわち、操縦）するジンバリング機構を備える（例えば、ジンバリング機構は、ホーンを個別にジンバルし、又はジンバリング機構は、プラットフォームをジンバルし、ここで、直接放射ホーンアンテナはプラットフォーム上に設けられている）。
【０１２１】
その後、各顧客アンテナ７２１と各ホストアンテナ７２０は、それらのそれぞれのジンバリング機構から（１以上の）プロセッサ７５５へ、アンテナジンバリングテレメトリ（例えば、アンテナがそれに従ってジンバルされたことを示す機械テレメトリ）を送信する（７１３）。その後、（１以上の）プロセッサ７５５は、ジンバリングテレメトリを使用することによって、非暗号化テレメトリを生成する。
【０１２２】
その後、（１以上の）プロセッサ７５５は、非暗号化テレメトリを通信セキュリティモジュール７４５へ送信する（７１４）。通信セキュリティモジュール７４５は、ＣＯＭＳＥＣ種（例えば、ＣＯＭＳＥＣ種１）を使用して、非暗号化テレメトリを暗号化し、暗号化テレメトリを生成する。その後、通信セキュリティモジュール７４５は、暗号化テレメトリをテレメトリ送信器７６５へ送信する（７１５）。他の実施形態では、本開示のシステムが、図７で示されている１つのテレメトリ受信器７６５より多いテレメトリ受信器７６５を採用してもよいことに留意するべきである。
【０１２３】
その後、テレメトリ送信器７６５は、暗号化テレメトリを地上アンテナ７３０へ送信する（７１６）。テレメトリ送信器７６５は、（１以上の）帯域外の周波数帯域（すなわち、ペイロードデータを送信するためにアンテナ７２０、７２１によって利用されるのと同じ（１以上の）周波数帯域ではない（１以上の）周波数帯域）を利用して、暗号化テレメトリを送信する（７１６）。
【０１２４】
その後、地上アンテナ７３０は、（例えば、仮想プライベートネットワーク（ＶＰＮ）にわたるインターネットプロトコルセキュリティ（ＩＰｓｅｃ）を有する地上波リンクを介して）暗号化テレメトリをＳＯＣ７５０へ送信する（７１７）。その後、ＳＯＣ７５０は、ＣＯＭＳＥＣ種を使用して、暗号化テレメトリを復号し、非暗号化テレメトリを生成する。その後、ＳＯＣ７５０は、ホストアンテナのデコミュテートされた情報を備え、顧客アンテナのデコミュテートされた情報を備えない、データベース（すなわち、顧客アンテナのデコミュテートされた情報がないデータベース）を利用して、非暗号化テレメトリを読み出し、ＳＯＣ７５０（すなわち、ホスト）によって利用される（１以上の）アンテナ７２０に関連するテレメトリデータを決定する。
【０１２５】
その後、ＳＯＣ７５０の安全な部分において、ＳＯＣ７５０は、顧客アンテナのデコミュテートされた情報を備え、ホストアンテナのデコミュテートされた情報を備えない、データベース（すなわち、ホストアンテナのデコミュテートされた情報がないデータベース）を利用して、非暗号化テレメトリを読み出し、顧客７７０によって利用される（１以上の）アンテナ７２１に関連するテレメトリデータを決定する。その後、ＳＯＣ７５０の安全な部分において、ＳＯＣ７５０は、非暗号化テレメトリを使用することによって、各顧客７７０に関連付けられた各アンテナ７２１に対するアンテナポインティング位置（例えば、アンテナビームのボアサイトに対する特定の緯度と経度の位置）を生成する。その後、ＳＯＣ７５０は、（例えば、インターネットにわたるウェブブラウザを介して（例えば、仮想プライベートネットワーク（ＶＰＮ）にわたるインターネットプロトコルセキュリティ（ＩＰｓｅｃ）を有する地上波リンクを介して））各顧客７７０に関連付けられた各アンテナ７２１に対するアンテナポインティング位置を、それぞれ、各顧客７７０へ送信する（７１９）。その後、１以上の実施形態では、各顧客７７０に関連付けられた各アンテナ７２１に対するアンテナポインティング位置（例えば、アンテナビームのボアサイトに対する特定の緯度と経度の位置）が、各顧客７７０に関連付けられたコンピュータスクリーン９１０（図９参照）上にそれぞれ表示されることとなる。
【０１２６】
図８、図８Ｂ、図８Ｃ、図８Ｄは、併せて、本開示の少なくとも１つの実施形態による、ＳＯＣアップリンク、及び暗号化のための単一のＣＯＭＳＥＣ種を利用する、安全なマルチペイロードアンテナオペレータオペレーションのための本開示の方法のフローチャートを示す。該方法の開始８００において、少なくとも１の顧客が、少なくとも１の顧客の各々に関連付けられた少なくとも１つのアンテナの各々に対するアンテナ位置ポインティングリクエストを、人工衛星オペレーションセンター（ＳＯＣ）へ送信する（８０５）。その後、ＳＯＣは、少なくとも１つのアンテナの各々に対するアンテナポインティング位置リクエストを使用して、非暗号化顧客指令を生成する（８１０）。その後、ＳＯＣは、通信セキュリティ（ＣＯＭＳＥＣ）種を利用して、非暗号化顧客指令を暗号化し、暗号化顧客指令を生成する（８１５）。更に、ＳＯＣは、ＣＯＭＳＥＣ種を利用して、非暗号化ＳＯＣ指令を暗号化し、暗号化ＳＯＣ指令を生成する（８２０）。ここで、非暗号化ＳＯＣ指令は、ホストに関連付けられた少なくとも１つのアンテナに関連する。その後、ＳＯＣは、暗号化顧客指令と暗号化ＳＯＣ指令を地上アンテナへ送信する（８２５）。その後、地上アンテナは、暗号化顧客指令と暗号化ＳＯＣ指令を、輸送体上の少なくとも１つの指令受信器へ送信する（８３０）。
【０１２７】
その後、輸送体上の少なくとも１つの指令受信器は、暗号化顧客指令と暗号化ＳＯＣ指令を、輸送体上の通信セキュリティモジュールへ送信する（８３５）。その後、輸送体上の通信セキュリティモジュールは、ＣＯＭＳＥＣ種を利用して、暗号化顧客指令を復号し、非暗号化顧客指令を生成する（８４０）。更に、輸送体上の通信セキュリティモジュールは、ＣＯＭＳＥＣ種を利用して、暗号化ＳＯＣ指令を復号し、非暗号化ＳＯＣ指令を生成する（８４５）。その後、輸送体上の通信セキュリティモジュールは、非暗号化顧客指令と非暗号化ＳＯＣ指令を、輸送体上の少なくとも１つのプロセッサへ送信する（８５０）。その後、少なくとも１つのプロセッサは、非暗号化顧客指令を使用することによって、少なくとも１の顧客の各々に関連付けられた各それぞれの少なくとも１つのアンテナに対する顧客アンテナジンバリング指令を生成する（８５５）。更に、少なくとも１つのプロセッサは、非暗号化ＳＯＣ指令を使用することによって、ホストに関連付けられた各それぞれの少なくとも１つのアンテナに対するホストアンテナジンバリング指令を生成する（８６０）。その後、少なくとも１つのプロセッサは、顧客アンテナジンバリング指令を、それぞれ、少なくとも１の顧客の各々に関連付けられた少なくとも１つのアンテナの各々へ送信する（８６５）。その後、少なくとも１つのプロセッサは、ホストアンテナジンバリング指令を、それぞれ、ホストに関連付けられた少なくとも１つのアンテナの各々に送信する（８７０）。その後、少なくとも１の顧客の各々に関連付けられた少なくとも１つのアンテナの各々が、それぞれ、顧客アンテナジンバリング指令を使用することによってジンバルされる（８７５）。更に、ホストに関連付けられた少なくとも１つのアンテナの各々が、それぞれ、ホストジンバリング指令を使用してジンバルされる（８８０）。
【０１２８】
その後、少なくとも１の顧客の各々に関連付けられた少なくとも１つのアンテナの各々とホストに関連付けられた少なくとも１つのアンテナの各々が、アンテナジンバリングテレメトリを少なくとも１つのプロセッサへ送信する（８８１）。その後、少なくとも１つのプロセッサは、アンテナジンバリングテレメトリを使用することによって、非暗号化テレメトリを生成する（８８２）。その後、少なくとも１つのプロセッサは、非暗号化テレメトリを通信セキュリティモジュールへ送信する（８８３）。その後、通信セキュリティモジュールは、ＣＯＭＳＥＣ種を使用して、非暗号化テレメトリを暗号化し、暗号化テレメトリを生成する（８８４）。その後、通信セキュリティモジュールは、暗号化テレメトリを少なくとも１つのテレメトリ送信器へ送信する（８８５）。その後、少なくとも１つのテレメトリ送信器は、暗号化テレメトリを地上アンテナへ送信する（８８６）。
【０１２９】
その後、地上アンテナは、暗号化テレメトリをＳＯＣへ送信する（８８７）。その後、ＳＯＣは、ＣＯＭＳＥＣ種を使用することによって、暗号化テレメトリを復号し、非暗号化テレメトリを生成する（８８８）。その後、ＳＯＣは、暗号化テレメトリを使用することによって、少なくとも１の顧客の各々に関連付けられた少なくとも１つのアンテナの各々に対するアンテナポインティング位置を生成する（８８９）。その後、ＳＯＣは、少なくとも１の顧客の各々に関連付けられた少なくとも１つのアンテナの各々に対するアンテナポインティング位置を、それぞれ、少なくとも１の顧客の各々へ送信する（８９０）。その後、方法は終了する（８９５）。
【０１３０】
特定の実施形態が示され説明されたが、上述の説明は、これら実施形態の範囲を限定することを意図しないということが理解されるべきである。本発明の多くの態様の実施形態及び変形例が、本明細書において開示され説明されたが、これら開示は、説明及び例示目的でのみ提供されるものである。したがって、特許請求の範囲を逸脱することなく様々な変更及び修正が加えられ得る。
【０１３１】
特定の実施形態が示され説明されたが、上述の記載は、これら実施形態の範囲を限定することを意図しないということが理解されるべきである。本発明の多くの態様の実施形態及び変形例が、本明細書において開示され記載されたが、これら開示は説明及び例示目的でのみ提供されるものである。したがって、特許請求の範囲を逸脱することなく様々な変更及び修正が加えられ得る。
【０１３２】
上述の方法が特定の順序で起こる特定の事象を表す場合、本開示から利益を得る当業者は、順序を修正することができること、並びにこのような修正は本開示の変形例に従うものであることを認識するであろう。更に、方法の一部は、可能であれば並行処理により同時に実施されてもよく、連続して実施されてもよい。更に、方法のより多くの部分又はより少ない部分が実施され得る。
【０１３３】
したがって、実施形態は、特許請求の範囲内に包含される代替例、修正例、及び等価物を例示することを意図する。
【０１３４】
更に、本開示は以下の条項による実施形態を含む。
条項１
安全なマルチペイロードアンテナオペレータオペレーションのための方法であって、少なくとも１の顧客によって、前記少なくとも１の顧客の各々に関連付けられた少なくとも１つのアンテナの各々に対するアンテナ位置ポインティングリクエストを、アンテナオペレーションセンター（ＡＯＣ）へ送信すること、前記ＡＯＣによって、前記少なくとも１つのアンテナの各々に対する前記アンテナ位置ポインティングリクエストを使用して、非暗号化ＡＯＣ指令を生成すること、前記ＡＯＣによって、前記非暗号化ＡＯＣ指令を人工衛星オペレーションセンター（ＳＯＣ）へ送信すること、前記ＳＯＣによって、通信セキュリティ（ＣＯＭＳＥＣ）種を利用して、前記非暗号化ＡＯＣ指令を暗号化して暗号化ＡＯＣ指令を生成すること、前記ＳＯＣによって、前記ＣＯＭＳＥＣ種を利用して、非暗号化ＳＯＣ指令を暗号化して暗号化ＳＯＣ指令を生成することであって、前記非暗号化ＳＯＣ指令が、ホストに関連付けられた少なくとも１つのアンテナに関連する、生成すること、前記ＳＯＣによって、前記暗号化ＡＯＣ指令と前記暗号化ＳＯＣ指令を地上アンテナへ送信すること、前記地上アンテナによって、前記暗号化ＡＯＣ指令と前記暗号化ＳＯＣ指令を輸送体へ送信すること、前記輸送体上の通信セキュリティモジュールによって、前記ＣＯＭＳＥＣ種を利用して、前記暗号化ＡＯＣ指令を復号して前記非暗号化ＡＯＣ指令を生成すること、前記輸送体上の通信セキュリティモジュールによって、前記ＣＯＭＳＥＣ種を利用して、前記暗号化ＳＯＣ指令を復号して前記非暗号化ＳＯＣ指令を生成すること、少なくとも１つのプロセッサによって、前記非暗号化ＡＯＣ指令を使用することによって、前記少なくとも１の顧客の各々に関連付けられた各それぞれの前記少なくとも１つのアンテナに対する顧客アンテナジンバリング指令を生成すること、前記少なくとも１つのプロセッサによって、前記非暗号化ＳＯＣ指令を使用することによって、前記ホストに関連付けられた各それぞれの前記少なくとも１つのアンテナに対するホストアンテナジンバリング指令を生成すること、前記顧客アンテナジンバリング指令を使用することによって、前記少なくとも１の顧客の各々に関連付けられた前記少なくとも１つのアンテナの各々をそれぞれジンバルすること、前記ホストアンテナジンバリング指令を使用することによって、前記ホストに関連付けられた前記少なくとも１つのアンテナの各々をそれぞれジンバルすること、前記少なくとも１つのプロセッサによって、アンテナジンバリングテレメトリを使用することによって、非暗号化テレメトリを生成すること、前記通信セキュリティモジュールによって、前記ＣＯＭＳＥＣ種を使用して、前記非暗号化テレメトリを暗号化して暗号化テレメトリを生成すること、前記輸送体によって、前記暗号化テレメトリを前記地上アンテナへ送信すること、前記地上アンテナによって、前記暗号化テレメトリを前記ＳＯＣへ送信すること、前記ＳＯＣによって、前記ＣＯＭＳＥＣ種を利用して、前記暗号化テレメトリ復号して前記非暗号化テレメトリを生成すること、前記ＳＯＣによって、前記非暗号化テレメトリを前記ＡＯＣへ送信すること、前記ＡＯＣによって、前記非暗号化テレメトリを使用することによって、前記少なくとも１の顧客の各々に関連付けられた前記少なくとも１つのアンテナの各々に対するアンテナポインティング位置を生成すること、及び、前記ＡＯＣによって、前記少なくとも１の顧客の各々に関連付けられた前記少なくとも１つのアンテナに対する前記アンテナポインティング位置を、それぞれ、前記少なくとも１の顧客の各々へ送信することを含む、方法。
条項２
前記少なくとも１の顧客の各々に関連付けられた前記少なくとも１つのアンテナが、少なくとも１つのアンテナ反射器を備える、条項１に記載の方法。
条項３
前記ホストに関連付けられた前記少なくとも１つのアンテナが、少なくとも１つのアンテナ反射器を備える、条項１に記載の方法。
条項４
前記輸送体が、人工衛星、航空機、無人航空機（ＵＡＶ）、又は宇宙飛行機のうちの１つである、条項１に記載の方法。
条項５
前記ＣＯＭＳＥＣ種が、少なくとも１つの暗号キー又は少なくとも１つのアルゴリズムのうちの少なくとも一方を備える、条項１に記載の方法。
条項６
安全なマルチペイロードアンテナオペレータオペレーションのための方法であって、少なくとも１の顧客によって、前記少なくとも１の顧客の各々に関連付けられた少なくとも１つのアンテナの各々に対するアンテナ位置ポインティングリクエストを、クライアントへ送信すること、前記クライアントによって、前記少なくとも１つのアンテナの各々に対する前記アンテナ位置ポインティングリクエストを使用して、非暗号化顧客指令を生成すること、前記クライアントによって、前記非暗号化顧客指令を人工衛星オペレーションセンター（ＳＯＣ）のプライマリサーバへ送信すること、前記ＳＯＣのプライマリサーバによって、通信セキュリティ（ＣＯＭＳＥＣ）種を利用して、前記非暗号化顧客指令を暗号化して暗号化顧客指令を生成すること、前記ＳＯＣのプライマリサーバによって、前記ＣＯＭＳＥＣ種を利用して、非暗号化ＳＯＣ指令を暗号化して暗号化ＳＯＣ指令を生成することであって、前記非暗号化ＳＯＣ指令が、ホストに関連付けられた少なくとも１つのアンテナに関連する、生成すること、前記ＳＯＣのプライマリサーバによって、前記暗号化顧客指令と前記暗号化ＳＯＣ指令を地上アンテナへ送信すること、前記地上アンテナによって、前記暗号化顧客指令と前記暗号化ＳＯＣ指令を輸送体へ送信すること、前記輸送体上の通信セキュリティモジュールによって、前記ＣＯＭＳＥＣ種を利用して、前記暗号化顧客指令を復号して前記非暗号化顧客指令を生成すること、前記輸送体上の通信セキュリティモジュールによって、前記ＣＯＭＳＥＣ種を利用して、前記暗号化ＳＯＣ指令を復号して前記非暗号化ＳＯＣ指令を生成すること、少なくとも１つのプロセッサによって、前記非暗号化顧客指令を使用することによって、前記少なくとも１の顧客の各々に関連付けられた各それぞれの前記少なくとも１つのアンテナに対する顧客アンテナジンバリング指令を生成すること、前記少なくとも１つのプロセッサによって、前記非暗号化ＳＯＣ指令を使用することによって、前記ホストに関連付けられた各それぞれの前記少なくとも１つのアンテナに対するホストアンテナジンバリング指令を生成すること、前記顧客アンテナジンバリング指令を使用することによって、前記少なくとも１の顧客の各々に関連付けられた前記少なくとも１つのアンテナの各々をそれぞれジンバルすること、前記ホストアンテナジンバリング指令を使用することによって、前記ホストに関連付けられた前記少なくとも１つのアンテナの各々をそれぞれジンバルすること、前記少なくとも１つのプロセッサによって、アンテナジンバリングテレメトリを使用することによって、非暗号化テレメトリを生成すること、前記通信セキュリティモジュールによって、前記ＣＯＭＳＥＣ種を使用して、前記非暗号化テレメトリを暗号化して暗号化テレメトリを生成すること、前記輸送体によって、前記暗号化テレメトリを前記地上アンテナへ送信すること、前記地上アンテナによって、前記暗号化テレメトリを前記ＳＯＣのプライマリサーバへ送信すること、前記ＳＯＣのプライマリサーバによって、前記ＣＯＭＳＥＣ種を利用して、前記暗号化テレメトリ復号して前記非暗号化テレメトリを生成すること、前記ＳＯＣのプライマリサーバによって、前記非暗号化テレメトリを前記クライアントへ送信すること、前記クライアントによって、前記非暗号化テレメトリを使用することによって、前記少なくとも１の顧客の各々に関連付けられた前記少なくとも１つのアンテナの各々に対するアンテナポインティング位置を生成すること、及び、前記クライアントによって、前記少なくとも１の顧客の各々に関連付けられた前記少なくとも１つのアンテナの各々に対する前記アンテナポインティング位置を、それぞれ、前記少なくとも１の顧客の各々へ送信することを含む、方法。
条項７
前記少なくとも１の顧客の各々に関連付けられた前記少なくとも１つのアンテナが、少なくとも１つのアンテナ反射器を備える、条項６に記載の方法。
条項８
前記ホストに関連付けられた前記少なくとも１つのアンテナが、少なくとも１つのアンテナ反射器を備える、条項６に記載の方法。
条項９
前記輸送体が、人工衛星、航空機、無人航空機（ＵＡＶ）、又は宇宙飛行機のうちの１つである、条項６に記載の方法。
条項１０
前記ＣＯＭＳＥＣ種が、少なくとも１つの暗号キー又は少なくとも１つのアルゴリズムのうちの少なくとも一方を備える、条項６に記載の方法。
条項１１
安全なマルチペイロードアンテナオペレータオペレーションのための方法であって、少なくとも１の顧客によって、前記少なくとも１の顧客の各々に関連付けられた少なくとも１つのアンテナの各々に対するアンテナ位置ポインティングリクエストを、アンテナオペレーションセンター（ＡＯＣ）へ送信すること、前記ＡＯＣによって、前記少なくとも１つのアンテナの各々に対する前記アンテナ位置ポインティングリクエストを使用して、非暗号化ＡＯＣ指令を生成すること、前記ＡＯＣによって、第２の通信セキュリティ（ＣＯＭＳＥＣ）種を利用して、前記非暗号化ＡＯＣ指令を暗号化して暗号化ＡＯＣ指令を生成すること、人工衛星オペレーションセンター（ＳＯＣ）によって、第１のＣＯＭＳＥＣ種を利用して、非暗号化ＳＯＣ指令を暗号化して暗号化ＳＯＣ指令を生成することであって、前記非暗号化ＳＯＣ指令が、ホストに関連付けられた少なくとも１つのアンテナに関連する、生成すること、前記ＳＯＣによって、前記暗号化ＳＯＣ指令を前記ＡＯＣへ送信すること、前記ＡＯＣによって、前記暗号化ＡＯＣ指令と前記暗号化ＳＯＣ指令を地上アンテナへ送信すること、前記地上アンテナによって、前記暗号化ＡＯＣ指令と前記暗号化ＳＯＣ指令を輸送体へ送信すること、前記輸送体上の第１の通信セキュリティモジュールによって、前記第１のＣＯＭＳＥＣ種を利用して、前記暗号化ＳＯＣ指令を復号して前記非暗号化ＳＯＣ指令を生成すること、前記輸送体上の第２の通信セキュリティモジュールによって、前記第２のＣＯＭＳＥＣ種を利用して、前記暗号化ＡＯＣ指令を復号して前記非暗号化ＡＯＣ指令を生成すること、少なくとも１つのプロセッサによって、前記非暗号化ＡＯＣ指令を使用することによって、前記少なくとも１の顧客の各々に関連付けられた各それぞれの前記少なくとも１つのアンテナに対する顧客アンテナジンバリング指令を生成すること、前記少なくとも１つのプロセッサによって、前記非暗号化ＳＯＣ指令を使用することによって、前記ホストに関連付けられた各それぞれの前記少なくとも１つのアンテナに対するホストアンテナジンバリング指令を生成すること、前記顧客アンテナジンバリング指令を使用することによって、前記少なくとも１の顧客の各々に関連付けられた前記少なくとも１つのアンテナの各々をそれぞれジンバルすること、前記ホストアンテナジンバリング指令を使用することによって、前記ホストに関連付けられた前記少なくとも１つのアンテナの各々をそれぞれジンバルすること、前記少なくとも１つのプロセッサによって、アンテナジンバリングテレメトリを使用することによって、非暗号化テレメトリを生成すること、前記第２の通信セキュリティモジュールによって、前記第２のＣＯＭＳＥＣ種を使用して、前記非暗号化テレメトリを暗号化して暗号化テレメトリを生成すること、前記輸送体によって、前記暗号化テレメトリを前記地上アンテナへ送信すること、前記地上アンテナによって、前記暗号化テレメトリを前記ＡＯＣへ送信すること、前記ＡＯＣによって、前記第２のＣＯＭＳＥＣ種を使用して、前記暗号化テレメトリ復号して前記非暗号化テレメトリを生成すること、前記ＡＯＣによって、前記非暗号化テレメトリを使用することによって、前記少なくとも１の顧客の各々に関連付けられた前記少なくとも１つのアンテナの各々に対するアンテナポインティング位置を生成すること、前記ＡＯＣによって、前記少なくとも１の顧客の各々に関連付けられた前記少なくとも１つのアンテナに対する前記アンテナポインティング位置を、それぞれ、前記少なくとも１の顧客の各々へ送信すること、前記ＡＯＣによって、前記非暗号化テレメトリを使用することによって、ＳＯＣテレメトリを生成すること、及び、前記ＡＯＣによって、前記ＳＯＣテレメトリを前記ＳＯＣへ送信することを含む、方法。
条項１２
前記少なくとも１の顧客の各々に関連付けられた前記少なくとも１つのアンテナが、少なくとも１つのアンテナ反射器を備える、条項１１に記載の方法。
条項１３
前記ホストに関連付けられた前記少なくとも１つのアンテナが、少なくとも１つのアンテナ反射器を備える、条項１１に記載の方法。
条項１４
前記輸送体が、人工衛星、航空機、無人航空機（ＵＡＶ）、又は宇宙飛行機のうちの１つである、条項１１に記載の方法。
条項１５
前記第１のＣＯＭＳＥＣ種が、少なくとも１つの暗号キー又は少なくとも１つのアルゴリズムのうちの少なくとも一方を備え、前記第２のＣＯＭＳＥＣ種が、少なくとも１つの暗号キー又は少なくとも１つのアルゴリズムのうちの少なくとも一方を備える、条項１１に記載の方法。
条項１６
安全なマルチペイロードアンテナオペレータオペレーションのための方法であって、少なくとも１の顧客によって、前記少なくとも１の顧客の各々に関連付けられた少なくとも１つのアンテナの各々に対するアンテナ位置ポインティングリクエストを、人工衛星オペレーションセンター（ＳＯＣ）へ送信すること、前記ＳＯＣによって、前記少なくとも１つのアンテナの各々に対する前記アンテナ位置ポインティングリクエストを使用して、非暗号化顧客指令を生成すること、前記ＳＯＣによって、通信セキュリティ（ＣＯＭＳＥＣ）種を利用して、前記非暗号化顧客指令を暗号化して暗号化顧客指令を生成すること、前記ＳＯＣによって、前記ＣＯＭＳＥＣ種を利用して、非暗号化ＳＯＣ指令を暗号化して暗号化ＳＯＣ指令を生成することであって、前記非暗号化ＳＯＣ指令が、ホストに関連付けられた少なくとも１つのアンテナに関連する、生成すること、前記ＳＯＣによって、前記暗号化顧客指令と前記暗号化ＳＯＣ指令を地上アンテナへ送信すること、前記地上アンテナによって、前記暗号化顧客指令と前記暗号化ＳＯＣ指令を輸送体へ送信すること、前記輸送体上の通信セキュリティモジュールによって、前記ＣＯＭＳＥＣ種を利用して、前記暗号化顧客指令を復号して前記非暗号化顧客指令を生成すること、前記輸送体上の通信セキュリティモジュールによって、前記ＣＯＭＳＥＣ種を利用して、前記暗号化ＳＯＣ指令を復号して前記非暗号化ＳＯＣ指令を生成すること、少なくとも１つのプロセッサによって、前記非暗号化顧客指令を使用することによって、前記少なくとも１の顧客の各々に関連付けられた各それぞれの前記少なくとも１つのアンテナに対する顧客アンテナジンバリング指令を生成すること、前記少なくとも１つのプロセッサによって、前記非暗号化ＳＯＣ指令を使用することによって、前記ホストに関連付けられた各それぞれの前記少なくとも１つのアンテナに対するホストアンテナジンバリング指令を生成すること、前記顧客アンテナジンバリング指令を使用することによって、前記少なくとも１の顧客の各々に関連付けられた前記少なくとも１つのアンテナの各々をそれぞれジンバルすること、前記ホストアンテナジンバリング指令を使用することによって、前記ホストに関連付けられた前記少なくとも１つのアンテナの各々をそれぞれジンバルすること、前記少なくとも１つのプロセッサによって、アンテナジンバリングテレメトリを使用することによって、非暗号化テレメトリを生成すること、前記通信セキュリティモジュールによって、前記ＣＯＭＳＥＣ種を使用して、前記非暗号化テレメトリを暗号化して暗号化テレメトリを生成すること、前記輸送体によって、前記暗号化テレメトリを前記地上アンテナへ送信すること、前記地上アンテナによって、前記暗号化テレメトリを前記ＳＯＣへ送信すること、前記ＳＯＣによって、前記ＣＯＭＳＥＣ種を使用することによって、前記暗号化テレメトリ復号して前記非暗号化テレメトリを生成すること、前記ＳＯＣによって、前記非暗号化テレメトリを使用することによって、前記少なくとも１の顧客の各々に関連付けられた前記少なくとも１つのアンテナの各々に対するアンテナポインティング位置を生成すること、及び、前記ＳＯＣによって、前記少なくとも１の顧客の各々に関連付けられた前記少なくとも１つのアンテナの各々に対する前記アンテナポインティング位置を、それぞれ、前記少なくとも１の顧客の各々へ送信することを含む、方法。
条項１７
前記少なくとも１の顧客の各々に関連付けられた前記少なくとも１つのアンテナが、少なくとも１つのアンテナ反射器を備える、条項１６に記載の方法。
条項１８
前記ホストに関連付けられた前記少なくとも１つのアンテナが、少なくとも１つのアンテナ反射器を備える、条項１６に記載の方法。
条項１９
前記輸送体が、人工衛星、航空機、無人航空機（ＵＡＶ）、又は宇宙飛行機のうちの１つである、条項１６に記載の方法。
条項２０
前記ＣＯＭＳＥＣ種が、少なくとも１つの暗号キー又は少なくとも１つのアルゴリズムのうちの少なくとも一方を備える、条項１６に記載の方法。
条項２１
安全なマルチペイロードアンテナオペレータオペレーションのためのシステムであって、少なくとも１の顧客の各々に関連付けられた少なくとも１つのアンテナの各々に対するアンテナ位置ポインティングリクエストを使用して非暗号化ＡＯＣ指令を生成し、前記非暗号化ＡＯＣ指令を人工衛星オペレーションセンター（ＳＯＣ）へ送信する、アンテナオペレーションセンター（ＡＯＣ）、通信セキュリティ（ＣＯＭＳＥＣ）種を利用して、前記非暗号化ＡＯＣ指令を暗号化して暗号化ＡＯＣ指令を生成し、前記ＣＯＭＳＥＣ種を利用して、非暗号化ＳＯＣ指令を暗号化して暗号化ＳＯＣ指令を生成する、前記ＳＯＣであって、前記非暗号化ＳＯＣ指令が、ホストに関連付けられた少なくとも１つのアンテナに関連し、更に、前記ＳＯＣが、前記暗号化ＡＯＣ指令と前記暗号化ＳＯＣ指令を地上アンテナへ送信する、前記ＳＯＣ、前記暗号化ＡＯＣ指令と前記暗号化ＳＯＣ指令を輸送体へ送信する、地上アンテナ、前記ＣＯＭＳＥＣ種を利用して、前記暗号化ＡＯＣ指令を復号して前記非暗号化ＡＯＣ指令を生成し、前記ＣＯＭＳＥＣ種を利用して、前記暗号化ＳＯＣ指令を復号して前記非暗号化ＳＯＣ指令を生成する、前記輸送体上の通信セキュリティモジュール、前記非暗号化ＡＯＣ指令を使用することによって、前記少なくとも１の顧客の各々に関連付けられた各それぞれの前記少なくとも１つのアンテナに対する顧客アンテナジンバリング指令を生成し、前記非暗号化ＳＯＣ指令を使用することによって、前記ホストに関連付けられた各それぞれの前記少なくとも１つのアンテナに対するホストアンテナジンバリング指令を生成する、少なくとも１つのプロセッサ、前記顧客アンテナジンバリング指令を使用することによってジンバルされる前記少なくとも１の顧客の各々に関連付けられた前記少なくとも１つのアンテナの各々、前記ホストアンテナジンバリング指令を使用することによってジンバルされる前記ホストに関連付けられた前記少なくとも１つのアンテナの各々、アンテナジンバリングテレメトリを使用することによって非暗号化テレメトリを生成する、前記少なくとも１つのプロセッサ、前記ＣＯＭＳＥＣ種を使用して、前記非暗号化テレメトリを暗号化して暗号化テレメトリを生成する、前記通信セキュリティモジュール、前記暗号化テレメトリを前記地上アンテナへ送信する、前記輸送体、前記暗号化テレメトリを前記ＳＯＣへ送信する、前記地上アンテナ、前記ＣＯＭＳＥＣ種を利用して、前記暗号化テレメトリを復号して前記非暗号化テレメトリを生成し、前記非暗号化テレメトリを前記ＡＯＣへ送信する、前記ＳＯＣ、及び、前記非暗号化テレメトリを使用することによって、前記少なくとも１の顧客の各々に関連付けられた前記少なくとも１つのアンテナの各々に対するアンテナポインティング位置を生成し、前記少なくとも１の顧客の各々に関連付けられた前記少なくとも１つのアンテナの各々に対する前記アンテナポインティング位置を、それぞれ、前記少なくとも１の顧客の各々へ送信する、前記ＡＯＣを備える、システム。
条項２２
前記少なくとも１の顧客の各々に関連付けられた前記少なくとも１つのアンテナが、少なくとも１つのアンテナ反射器を備える、条項２１に記載のシステム。
条項２３
前記ホストに関連付けられた前記少なくとも１つのアンテナが、少なくとも１つのアンテナ反射器を備える、条項２１に記載のシステム。
条項２４
前記輸送体が、人工衛星、航空機、無人航空機（ＵＡＶ）、又は宇宙飛行機のうちの１つである、条項２１に記載のシステム。
条項２５
前記ＣＯＭＳＥＣ種が、少なくとも１つの暗号キー又は少なくとも１つのアルゴリズムのうちの少なくとも一方を備える、条項２１に記載のシステム。
条項２６
安全なマルチペイロードアンテナオペレータオペレーションのためのシステムであって、少なくとも１の顧客の各々に関連付けられた少なくとも１つのアンテナの各々に対するアンテナ位置ポインティングリクエストを使用して非暗号化顧客指令を生成し、前記非暗号化顧客指令を人工衛星オペレーションセンター（ＳＯＣ）のプライマリサーバへ送信する、クライアント、通信セキュリティ（ＣＯＭＳＥＣ）種を利用して、前記非暗号化顧客指令を暗号化して暗号化顧客指令を生成し、前記ＣＯＭＳＥＣ種を利用して、非暗号化ＳＯＣ指令を暗号化して暗号化ＳＯＣ指令を生成する、前記ＳＯＣのプライマリサーバであって、前記非暗号化ＳＯＣ指令が、ホストに関連付けられた少なくとも１つのアンテナに関連し、更に、前記ＳＯＣのプライマリサーバが、前記暗号化顧客指令と前記暗号化ＳＯＣ指令を地上アンテナへ送信する、前記ＳＯＣのプライマリサーバ、前記暗号化顧客指令と前記暗号化ＳＯＣ指令を輸送体へ送信する、地上アンテナ、前記ＣＯＭＳＥＣ種を利用して、前記暗号化顧客指令を復号して前記非暗号化顧客指令を生成し、前記ＣＯＭＳＥＣ種を利用して、前記暗号化ＳＯＣ指令を復号して前記非暗号化ＳＯＣ指令を生成する、前記輸送体上の通信セキュリティモジュール、前記非暗号化顧客指令を使用することによって、前記少なくとも１の顧客の各々に関連付けられた各それぞれの前記少なくとも１つのアンテナに対する顧客アンテナジンバリング指令を生成し、非暗号化ＳＯＣ指令を使用することによって、前記ホストに関連付けられた各それぞれの前記少なくとも１つのアンテナに対するホストアンテナジンバリング指令を生成する、少なくとも１つのプロセッサ、前記顧客アンテナジンバリング指令を使用することによってジンバルされる前記少なくとも１の顧客の各々に関連付けられた前記少なくとも１つのアンテナの各々、前記ホストアンテナジンバリング指令を使用することによってジンバルされる前記ホストに関連付けられた前記少なくとも１つのアンテナの各々、アンテナジンバリングテレメトリを使用することによって非暗号化テレメトリを生成する、前記少なくとも１つのプロセッサ、前記ＣＯＭＳＥＣ種を使用して、前記非暗号化テレメトリを暗号化して暗号化テレメトリを生成する、前記通信セキュリティモジュール、前記暗号化テレメトリを前記地上アンテナへ送信する、輸送体、前記暗号化テレメトリを前記ＳＯＣのプライマリサーバへ送信する、前記地上アンテナ、前記ＣＯＭＳＥＣ種を利用して、前記暗号化テレメトリを復号して前記非暗号化テレメトリを生成し、前記非暗号化テレメトリを前記クライアントへ送信する、前記ＳＯＣのプライマリサーバ、及び、前記非暗号化テレメトリを使用することによって、前記少なくとも１の顧客の各々に関連付けられた前記少なくとも１つのアンテナの各々に対するアンテナポインティング位置を生成し、前記少なくとも１の顧客の各々に関連付けられた前記少なくとも１つのアンテナの各々に対する前記アンテナポインティング位置を、それぞれ、前記少なくとも１の顧客の各々へ送信する、前記クライアントを備える、システム。
条項２７
前記少なくとも１の顧客の各々に関連付けられた前記少なくとも１つのアンテナが、少なくとも１つのアンテナ反射器を備える、条項２６に記載のシステム。
条項２８
前記ホストに関連付けられた前記少なくとも１つのアンテナが、少なくとも１つのアンテナ反射器を備える、条項２６に記載のシステム。
条項２９
前記輸送体が、人工衛星、航空機、無人航空機（ＵＡＶ）、又は宇宙飛行機のうちの１つである、条項２６に記載のシステム。
条項３０
前記ＣＯＭＳＥＣ種が、少なくとも１つの暗号キー又は少なくとも１つのアルゴリズムのうちの少なくとも一方を備える、条項２６に記載のシステム。
条項３１
安全なマルチペイロードアンテナオペレータオペレーションのためのシステムであって、少なくとも１の顧客の各々に関連付けられた少なくとも１つのアンテナの各々に対するアンテナ位置ポインティングリクエストを使用して非暗号化ＡＯＣ指令を生成し、第２の通信セキュリティ（ＣＯＭＳＥＣ）種を利用して、前記非暗号化ＡＯＣ指令を暗号化して暗号化ＡＯＣ指令を生成する、アンテナオペレーションセンター（ＡＯＣ）、第１のＣＯＭＳＥＣ種を利用して、非暗号化ＳＯＣ指令を暗号化して暗号化ＳＯＣ指令を生成する、人工衛星オペレーションセンター（ＳＯＣ）であって、前記非暗号化ＳＯＣ指令が、ホストに関連付けられた少なくとも１つのアンテナに関連し、更に、前記ＳＯＣが、前記暗号化ＳＯＣ指令を前記ＡＯＣへ送信する、ＳＯＣ、前記暗号化ＡＯＣ指令と前記暗号化ＳＯＣ指令を地上アンテナへ送信する、前記ＡＯＣ、前記暗号化ＡＯＣ指令と前記暗号化ＳＯＣ指令を輸送体へ送信する、前記地上アンテナ、前記第１のＣＯＭＳＥＣ種を利用して、前記暗号化ＳＯＣ指令を復号して前記非暗号化ＳＯＣ指令を生成する、前記輸送体上の第１の通信セキュリティモジュール、前記第２のＣＯＭＳＥＣ種を利用して、前記暗号化ＡＯＣ指令を復号して前記非暗号化ＡＯＣ指令を生成する、前記輸送体上の第２の通信セキュリティモジュール、前記非暗号化ＡＯＣ指令を使用することによって、前記少なくとも１の顧客の各々に関連付けられた各それぞれの前記少なくとも１つのアンテナに対する顧客アンテナジンバリング指令を生成し、前記非暗号化ＳＯＣ指令を使用することによって、前記ホストに関連付けられた各それぞれの前記少なくとも１つのアンテナに対するホストアンテナジンバリング指令を生成する、少なくとも１つのプロセッサ、前記顧客アンテナジンバリング指令を使用することによってジンバルされる前記少なくとも１の顧客の各々に関連付けられた前記少なくとも１つのアンテナの各々、前記ホストアンテナジンバリング指令を使用することによってジンバルされる前記ホストに関連付けられた前記少なくとも１つのアンテナの各々、アンテナジンバリングテレメトリを使用することによって非暗号化テレメトリを生成する、前記少なくとも１つのプロセッサ、前記第２のＣＯＭＳＥＣ種を使用して、前記非暗号化テレメトリを暗号化して暗号化テレメトリを生成する、前記第２の通信セキュリティモジュール、前記暗号化テレメトリを前記地上アンテナへ送信する、輸送体、前記暗号化テレメトリを前記ＡＯＣへ送信する、前記地上アンテナ、及び、前記第２のＣＯＭＳＥＣ種を使用して、前記暗号化テレメトリを復号して前記非暗号化テレメトリを生成し、前記非暗号化テレメトリを使用することによって、前記少なくとも１の顧客の各々に関連付けられた前記少なくとも１つのアンテナの各々に対するアンテナポインティング位置を生成し、前記少なくとも１の顧客の各々に関連付けられた前記少なくとも１つのアンテナの各々に対する前記アンテナポインティング位置を、それぞれ、前記少なくとも１の顧客の各々へ送信し、前記非暗号化テレメトリを使用することによって、ＳＯＣテレメトリを生成し、前記ＳＯＣテレメトリを前記ＳＯＣへ送信する、前記ＡＯＣを備える、システム。
条項３２
前記少なくとも１の顧客の各々に関連付けられた前記少なくとも１つのアンテナが、少なくとも１つのアンテナ反射器を備える、条項３１に記載のシステム。
条項３３
前記ホストに関連付けられた前記少なくとも１つのアンテナが、少なくとも１つのアンテナ反射器を備える、条項３１に記載のシステム。
条項３４
前記輸送体が、人工衛星、航空機、無人航空機（ＵＡＶ）、又は宇宙飛行機のうちの１つである、条項３１に記載のシステム。
条項３５
前記第１のＣＯＭＳＥＣ種が、少なくとも１つの暗号キー又は少なくとも１つのアルゴリズムのうちの少なくとも一方を備える、条項３１に記載のシステム。
条項３６
前記第２のＣＯＭＳＥＣ種が、少なくとも１つの暗号キー又は少なくとも１つのアルゴリズムのうちの少なくとも一方を備える、条項３１に記載のシステム。
条項３７
安全なマルチペイロードオペレータオペレーションのためのシステムであって、少なくとも１の顧客によって、前記少なくとも１の顧客の各々に関連付けられた少なくとも１つのアンテナの各々に対するアンテナ位置ポインティングリクエストを、人工衛星オペレーションセンター（ＳＯＣ）へ送信することを含み、前記少なくとも１の顧客の各々に関連付けられた少なくとも１つのアンテナの各々に対するアンテナ位置ポインティングリクエストを使用して、非暗号化顧客指令を生成し、通信セキュリティ（ＣＯＭＳＥＣ）種を利用して、前記非暗号化顧客指令を暗号化して暗号化顧客指令を生成し、前記ＣＯＭＳＥＣ種を利用して、非暗号化ＳＯＣ指令を暗号化して暗号化ＳＯＣ指令を生成する、前記ＳＯＣであって、前記非暗号化ＳＯＣ指令が、ホストに関連付けられた少なくとも１つのアンテナに関連し、更に、前記ＳＯＣが、前記暗号化顧客指令と前記暗号化ＳＯＣ指令を地上アンテナへ送信する、前記ＳＯＣ、前記暗号化顧客指令と前記暗号化ＳＯＣ指令を輸送体へ送信する、地上アンテナ、前記ＣＯＭＳＥＣ種を利用して、前記暗号化顧客指令を復号して前記非暗号化顧客指令を生成し、前記ＣＯＭＳＥＣ種を利用して、前記暗号化ＳＯＣ指令を復号して前記非暗号化ＳＯＣ指令を生成する、前記輸送体上の通信セキュリティモジュール、前記非暗号化顧客指令を使用することによって、前記少なくとも１の顧客の各々に関連付けられた各それぞれの前記少なくとも１つのアンテナに対する顧客アンテナジンバリング指令を生成し、暗号化ＳＯＣ指令を使用することによって、前記ホストに関連付けられた各それぞれの前記少なくとも１つのアンテナに対するホストアンテナジンバリング指令を生成する、少なくとも１つのプロセッサ、前記顧客アンテナジンバリング指令を使用することによってジンバルされる前記少なくとも１の顧客の各々に関連付けられた前記少なくとも１つのアンテナの各々、前記ホストアンテナジンバリング指令を使用することによってジンバルされる前記ホストに関連付けられた前記少なくとも１つのアンテナの各々、アンテナジンバリングテレメトリを使用することによって非暗号化テレメトリを生成する、前記少なくとも１つのプロセッサ、前記ＣＯＭＳＥＣ種を使用して、前記非暗号化テレメトリを暗号化して暗号化テレメトリを生成する、前記通信セキュリティモジュール、前記暗号化テレメトリを前記地上アンテナへ送信する、輸送体、前記暗号化テレメトリを前記ＳＯＣへ送信する、前記地上アンテナ、及び、前記ＣＯＭＳＥＣ種を使用することによって、前記暗号化テレメトリを復号して前記非暗号化テレメトリを生成し、前記非暗号化テレメトリを使用することによって、前記少なくとも１の顧客の各々に関連付けられた前記少なくとも１つのアンテナの各々に対するアンテナポインティング位置を生成し、前記少なくとも１の顧客の各々に関連付けられた前記少なくとも１つのアンテナの各々に対する前記アンテナポインティング位置を、それぞれ、前記少なくとも１の顧客の各々へ送信する、前記ＳＯＣを備える、システム。
条項３８
安全なマルチペイロードオペレータオペレーションのための方法であって、アンテナオペレーションセンター（ＡＯＣ）によって、少なくとも１の顧客の各々に関連付けられた少なくとも１つのアンテナの各々に対するアンテナ位置ポインティングリクエストを使用して、ＡＯＣ指令を生成すること、人工衛星オペレーションセンター（ＳＯＣ）によって、前記ＡＯＣ指令とＳＯＣ指令を地上アンテナを介して輸送体へ送信することであって、前記ＳＯＣ指令が、ホストに関連付けられた少なくとも１つのアンテナに関連する、送信すること、前記輸送体上で、前記ＡＯＣ指令を使用することによって、顧客アンテナジンバリング指令を生成すること、前記輸送体上で、前記ＳＯＣ指令を使用することによって、ホストアンテナジンバリング指令を生成すること、前記顧客アンテナジンバリング指令を使用することによって、前記少なくとも１の顧客の各々に関連付けられた前記少なくとも１つのアンテナの各々をそれぞれジンバルすること、及び、前記ホストアンテナジンバリング指令を使用することによって、前記ホストに関連付けられた前記少なくとも１つのアンテナの各々をそれぞれジンバルすることを含む、方法。
条項３９
安全なマルチペイロードオペレータオペレーションのためのシステムであって、アンテナオペレーションセンター（ＡＯＣ）であって、少なくとも１の顧客の各々に関連付けられた少なくとも１つのアンテナの各々に対するアンテナ位置ポインティングリクエストを使用して、ＡＯＣ指令を生成する、ＡＯＣ、前記ＡＯＣ指令とＳＯＣ指令を地上アンテナを介して輸送体へ送信する、人工衛星オペレーションセンター（ＳＯＣ）であって、前記ＳＯＣ指令が、ホストに関連付けられた少なくとも１つのアンテナに関連する、ＳＯＣ、前記ＡＯＣ指令を使用することによって、顧客アンテナジンバリング指令を生成し、前記ＳＯＣ指令を使用することによって、ホストアンテナジンバリング指令を生成する、前記輸送体、前記顧客アンテナジンバリング指令を使用することによってそれぞれジンバルされる、前記少なくとも１の顧客の各々に関連付けられた前記少なくとも１つのアンテナの各々、及び、前記ホストアンテナジンバリング指令を使用することによってそれぞれジンバルされる、前記ホストに関連付けられた前記少なくとも１つのアンテナの各々を備える、システム。
条項４０
前記少なくとも１の顧客の各々に関連付けられた前記少なくとも１つのアンテナが、少なくとも１つのアンテナ反射器を備える、条項３９に記載のシステム。
条項４１
前記ホストに関連付けられた前記少なくとも１つのアンテナが、少なくとも１つのアンテナ反射器を備える、条項３９に記載のシステム。
【０１３５】
特定の例示的実施形態及び方法を本明細書中に開示したが、前述の開示内容から、当業者には、本開示の精神及び範囲から逸脱することなくこのような実施形態及び方法に変更及び修正を加えることが可能であることは明らかであろう。その他多数の本開示の実施例があり、各実施例はその詳細事項においてのみ他と異なる。したがって、本開示は特許請求の範囲及び適用法の規則及び原理によって必要とされる範囲にのみ制限されることが意図されている。
【図１】
2018170761.tif 000003
【図２Ａ】
2018170761.tif 000004
【図２Ｂ】
2018170761.tif 000005
【図２Ｃ】
2018170761.tif 000006
【図２Ｄ】
2018170761.tif 000007
【図３】
2018170761.tif 000008
【図４Ａ】
2018170761.tif 000009
【図４Ｂ】
2018170761.tif 000010
【図４Ｃ】
2018170761.tif 000011
【図４Ｄ】
2018170761.tif 000012
【図５】
2018170761.tif 000013
【図６Ａ】
2018170761.tif 000014
【図６Ｂ】
2018170761.tif 000015
【図６Ｃ】
2018170761.tif 000016
【図６Ｄ】
2018170761.tif 000017
【図７】
2018170761.tif 000018
【図８Ａ】
2018170761.tif 000019
【図８Ｂ】
2018170761.tif 000020
【図８Ｃ】
2018170761.tif 000021
【図８Ｄ】
2018170761.tif 000022
【図９】
2018170761.tif 000023
【外国語明細書】
2018170761000001.pdf
2018170761000002.pdf
2018170761000003.pdf
2018170761000004.pdf